(57)【要約】  無線通信システムにおいてユーザ機器(ＵＥ)が上りリンクＵＬ)信号を送信するにおいて、準−持続的スケジューリング(ＳＰＳ)の物理上りリンク共有チャネル(ＰＵＳＣＨ)に関する下りリンク制御情報(ＤＣＩ)を物理下りリンク制御チャネル(ＰＤＣＣＨ)信号により受信し、前記ＤＣＩに基づいてＳＰＳ ＰＵＳＣＨ信号を周期的に送信することを含み、前記ＤＣＩに基づいて前記ＳＰＳ ＰＵＳＣＨ信号を周期的に送信することは、(i)前記ＳＰＳ ＰＵＳＣＨ信号がサブスロット−基盤であり、(ii)前記ＤＣＩに含まれた復調参照信号(ＤＭＲＳ)パターンフィールドが第１値にセットされ、(iii)物理上りリンク制御チャネル(ＰＵＣＣＨ)及び前記ＰＵＳＣＨの同時送信が前記ＵＥに設定された状態で、ＰＵＣＣＨ信号を同時に送信することなく、前記ＳＰＳ ＰＵＳＣＨ信号により上りリンク制御情報(ＵＣＩ)を送信することを含む、方法。【選択図】図１２
2021500822.tif 000002
【特許請求の範囲】
【請求項１】
無線通信システムにおいてユーザ機器(ｕｓｅｒ ｅｑｕｉｐｍｅｎｔ、ＵＥ)が上りリンク(ｕｐｌｉｎｋ、ＵＬ)信号を送信する方法において、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ、ＰＤＣＣＨ)信号により受信し、
前記ＤＣＩに基づいてＳＰＳ ＰＵＳＣＨ信号を周期的に送信することを含み、
前記ＤＣＩに基づいて前記ＳＰＳ ＰＵＳＣＨ信号を周期的に送信することは、
(i)前記ＳＰＳ ＰＵＳＣＨ信号がサブスロット−基盤であり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)パターンフィールドが第１値にセットされ、(iii)物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)及び前記ＰＵＳＣＨの同時送信が前記ＵＥに設定された状態で、
ＰＵＣＣＨ信号を同時に送信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を送信することを含む、方法。
【請求項２】
前記ＳＰＳ ＰＵＳＣＨ信号の周期は１つのサブスロットになるように設定される、請求項１に記載の方法。
【請求項３】
前記ＰＵＣＣＨ信号の送信は前記ＳＰＳ ＰＵＳＣＨ信号の送信と時間ドメイン上で重畳するように設定される、請求項１に記載の方法。
【請求項４】
前記第１値にセットされた前記ＤＭＲＳパターンフィールドに基づいて、１回のＤＬ ＤＭＲＳ送信が複数のＳＰＳ ＰＵＳＣＨ信号送信の間に共有されるように設定される、請求項１に記載の方法。
【請求項５】
前記ＤＭＲＳパターンフィールドは、前記ＳＰＳ ＰＵＳＣＨ信号とＵＬ ＤＭＲＳが常に同じサブスロットで送信されるか否かを示す、請求項１に記載の方法。
【請求項６】
前記第１値にセットされた前記ＤＭＲＳパターンフィールドに基づいて、前記ＳＰＳ ＰＵＳＣＨ信号と前記ＵＬ ＤＭＲＳは異なるサブスロットで送信され、
第２値にセットされた前記ＤＭＲＳパターンフィールドに基づいて、前記ＳＰＳ ＰＵＳＣＨ信号と前記ＵＬ ＤＭＲＳは同じサブスロットで送信されるように制限される、請求項５に記載の方法。
【請求項７】
前記第１値にセットされた前記ＤＭＲＳパターンフィールドに基づいて、
サブスロット＃１で送信されたＳＰＳ ＰＵＳＣＨ信号のための第１ＵＬ ＤＭＲＳはサブスロット＃２で送信され、
サブスロット＃４で送信されたＳＰＳ ＰＵＳＣＨ信号のための第２ＵＬ ＤＭＲＳはサブスロット＃５で送信される、請求項５に記載の方法。
【請求項８】
前記ＤＭＲＳパターンフィールドは２ビットであり、
前記第１値はビット値'１０'を有する、請求項１に記載の方法。
【請求項９】
i)前記ＳＰＳ ＰＵＳＣＨ信号がサブスロット−基盤であり、(ii)前記ＤＣＩに含まれた前記ＤＭＲＳパターンフィールドが第１値にセットされ、(iii)前記ＵＥに前記ＰＵＣＣＨ及び前記ＰＵＳＣＨの同時送信が送信された状態で、また前記ＳＰＳ ＰＵＳＣＨ信号により前記ＵＣＩを送信することに基づいて、
前記ＵＥは前記ＰＵＣＣＨ信号により前記ＳＰＳ ＰＵＳＣＨ信号の送信電力の変動有無に関係なく、前記ＰＵＣＣＨ信号を省略することをさらに含む、請求項１に記載の方法。
【請求項１０】
ＵＬ ＳＰＳに関連して複数のＵＬ ＳＰＳ設定(ｃｏｎｆｉｇｕｒａｔｉｏｎ)が前記ＵＥのために設定され、
前記複数のＵＬ ＳＰＳ設定には異なったハイブリッド自動繰り返し要請(ｈｙｂｒｉｄ ａｕｔｏｍａｔｉｃ ｒｅｐｅａｔ ｒｅｑｕｅｓｔ、ＨＡＲＱ)プロセスのセットが連関する、請求項１に記載の方法。
【請求項１１】
請求項１に記載の方法を実行するためのプログラムが貯蔵されたコンピューターで読み取り可能な貯蔵媒体。
【請求項１２】
無線通信システムにおいて基地局(ｂａｓｅ ｓｔａｔｉｏｎ、ＢＳ)が上りリンク(ｕｐｌｉｎｋ、ＵＬ)信号を受信する方法において、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御(ｐｈｙｓｉｃａｌ ｄｏｗｎｌｉｎｋ ｃｏｎｔｒｏｌ、ＰＤＣＣＨ)信号により送信し、
前記ＤＣＩに基づいてＳＰＳ ＰＵＳＣＨ信号を周期的に受信することを含み、
前記ＤＣＩに基づいて前記ＳＰＳ ＰＵＳＣＨ信号を周期的に受信することは、
(i)前記ＳＰＳ ＰＵＳＣＨ信号がサブスロット−基盤であり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)及び前記ＰＵＳＣＨの同時送信が前記ＵＥに設定された状態で、
ＰＵＣＣＨ信号を同時に受信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を受信する、方法。
【請求項１３】
上りリンク(ｕｐｌｉｎｋ、ＵＬ)信号を送信するように構成されたユーザ機器(ｕｓｅｒ ｅｑｕｉｐｍｅｎｔ、ＵＥ)において、
トランシーバと、
少なくとも１つのプロセッサと、
前記少なくとも１つのプロセッサに動作可能に連結できる、また実行されると前記少なくとも１つのプロセッサをして動作を行うようにする指示を貯蔵した、少なくとも１つのコンピュータメモリを含み、前記動作は、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ、ＰＤＣＣＨ)信号により送信し、
前記ＤＣＩに基づいてＳＰＳ ＰＵＳＣＨ信号を周期的に受信することを含み、
前記ＤＣＩに基づいて前記ＳＰＳ ＰＵＳＣＨ信号を周期的に受信することは、
(i)前記ＳＰＳ ＰＵＳＣＨ信号がサブスロット−基盤であり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)及び前記ＰＵＳＣＨの同時送信が前記ＵＥに設定された状態で、
ＰＵＣＣＨ信号を同時に送信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を送信することを含む、ＵＥ。
【請求項１４】
上りリンク(ｕｐｌｉｎｋ、ＵＬ)信号を受信するように構成された基地局(ｂａｓｅ ｓｔａｔｉｏｎ、ＢＳ)において、
トランシーバと、
少なくとも１つのプロセッサと、
前記少なくとも１つのプロセッサに動作可能に連結できる、また実行されると前記少なくとも１つのプロセッサをして動作を行うようにする指示を貯蔵した、少なくとも１つのコンピュータメモリを含み、前記動作は、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御(ｐｈｙｓｉｃａｌ ｄｏｗｎｌｉｎｋ ｃｏｎｔｒｏｌ、ＰＤＣＣＨ)信号により送信し、
前記ＤＣＩに基づいてＳＰＳ ＰＵＳＣＨ信号を周期的に受信することを含み、
前記ＤＣＩに基づいて前記ＳＰＳ ＰＵＳＣＨ信号を周期的に受信することは、
(i)前記ＳＰＳ ＰＵＳＣＨ信号がサブスロット−基盤であり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)及び前記ＰＵＳＣＨの同時送信が前記ＵＥに設定された状態で、
ＰＵＣＣＨ信号を同時に受信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を受信する、ＢＳ。
【発明の詳細な説明】
【技術分野】
【０００１】
本明細書は一般的に無線通信システムに関する。
【背景技術】
【０００２】
無線通信システムにおいて、ユーザ機器(ｕｓｅｒ ｅｑｕｉｐｍｅｎｔ、ＵＥ)は通常的には上りリンク(ｕｐｌｉｎｋ、ＵＬ)を介して基地局(ｂａｓｅ ｓｔａｔｉｏｎ、ＢＳ)に信号を送信し、下りリンク(ｄｏｗｎｌｉｎｋ、ＤＬ)を介してＢＳから信号を受信する。データ信号及び制御信号を含む、様々な信号がＵＬ及びＤＬを介して通信される。かかる通信のスケジューリングは通常的に向上した効率、遅延(ｌａｔｅｎｃｙ)及び／又は信頼性(ｒｅｌｉａｂｉｌｉｔｙ)のために行われる。
【発明の概要】
【発明が解決しようとする課題】
【０００３】
ＵＥ及びＢＳによるＳＰＳ−基盤のＵＬ信号のより効率的かつ正確な送信及び受信、またそのための装置が必要である。
【課題を解決するための手段】
【０００４】
本発明の一様相においては、無線通信システムにおいてユーザ機器(ｕｓｅｒ ｅｑｕｉｐｍｅｎｔ、ＵＥ)が上りリンク(ｕｐｌｉｎｋ、ＵＬ)信号を送信する方法を含み、この方法は、準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ、ＰＤＣＣＨ)信号により受信することを含む。またこの方法は、ＤＣＩに基づいてＳＰＳ ＰＵＳＣＨ信号を周期的に送信することを含み、ここで、ＤＣＩに基づいてＳＰＳ ＰＵＳＣＨ信号を周期的に送信することは、(i)ＳＰＳ ＰＵＳＣＨ信号がサブスロット−基盤であり、(ii)ＤＣＩに含まれた復調参照信号(ｄｅｍｏｄｕｌａｔｉｏｎ ｒｅｆｅｒｅｎｃｅ ｓｉｇｎａｌ、ＤＭＲＳ)パターンフィールドが第１値にセットされ、(iii)物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)及び該ＰＵＳＣＨの同時送信がＵＥに設定された状態で、ＰＵＣＣＨ信号を同時に送信することなく、ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を送信することを含む。この様相の他の実施例は、対応するコンピュータシステム、装置及び１つ以上のコンピュータ貯蔵機器に記録されたコンピュータプログラムを含む。
【０００５】
これらの具現は以下の特徴のうちの１つ以上を含む。ＳＰＳ ＰＵＳＣＨの周期が１つのサブスロットになるように設定される方法。ＰＵＣＣＨ信号の送信がＳＰＳ ＰＵＳＣＨ信号の送信と時間ドメイン上で重畳するように設定される方法。第１値にセットされたＤＭＲＳパターンフィールドに基づいて、１回のＤＬ ＤＭＲＳ送信が複数のＳＰＳ ＰＵＳＣＨ信号送信の間に共有されるように設定される方法。ＤＭＲＳパターンフィールドがＳＰＳ ＰＵＳＣＨ信号とＵＬ ＤＭＲＳが常に同じサブスロットで送信されるか否かを示す方法。第１値にセットされたＤＭＲＳパターンフィールドに基づいて、ＳＰＳ ＰＵＳＣＨ信号とＵＬ ＤＭＲＳは異なるサブスロットで送信されることができ、第２値にセットされたＤＭＲＳパターンフィールドに基づいて、ＳＰＳ ＰＵＳＣＨ信号とＵＬ ＤＭＲＳは同じサブスロットで送信されるように制限される方法。第１値にセットされたＤＭＲＳパターンフィールドに基づいて、サブスロット＃１で送信されたＳＰＳ ＰＵＳＣＨ信号のための第１ＵＬ ＤＭＲＳはサブスロット＃２で送信され、サブスロット＃４で送信されたＳＰＳ ＰＵＳＣＨ信号のための第２ＵＬ ＤＭＲＳはサブスロット＃５で送信される方法。ＤＭＲＳパターンフィールドは２ビットであり、第１値はビット値'１０'を有する方法。i)ＳＰＳ ＰＵＳＣＨ信号がサブスロット−基盤であり、(ii)ＤＣＩに含まれたＤＭＲＳパターンフィールドが第１値にセットされ、(iii)ＵＥにＰＵＣＣＨ及びＰＵＳＣＨの同時送信が送信された状態で、またＳＰＳ ＰＵＳＣＨ信号によりＵＣＩを送信することに基づいて、ＵＥはＰＵＣＣＨ信号によりＳＰＳ ＰＵＳＣＨ信号の送信電力の変動有無に関係なく、ＰＵＣＣＨ信号を省略することをさらに含む方法。ＵＬ ＳＰＳに関連して複数のＵＬ ＳＰＳ設定(ｃｏｎｆｉｇｕｒａｔｉｏｎ)がＵＥのために設定され、複数のＵＬ ＳＰＳ設定には異なったハイブリッド自動繰り返し要請(ｈｙｂｒｉｄ ａｕｔｏｍａｔｉｃ ｒｅｐｅａｔ ｒｅｑｕｅｓｔ、ＨＡＲＱ)プロセスのセットが連関する方法。上記記載した具現はハードウェア、方法又はプロセス、又はコンピュータ−接続可能な媒体上のコンピュータソフトウェアを含む。
【０００６】
他の様相では、無線通信システムにおいて基地局(ｂａｓｅ ｓｔａｔｉｏｎ、ＢＳ)が上りリンク(ｕｐｌｉｎｋ、ＵＬ)信号を受信する方法を含み、この方法は、準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御(ｐｈｙｓｉｃａｌ ｄｏｗｎｌｉｎｋ ｃｏｎｔｒｏｌ、ＰＤＣＣＨ)信号により送信することを含む。またこの方法は、ＤＣＩに基づいてＳＰＳ ＰＵＳＣＨ信号を周期的に受信することを含み、ここで、ＤＣＩに基づいてＳＰＳ ＰＵＳＣＨ信号を周期的に受信することは、(i)ＳＰＳ ＰＵＳＣＨ信号がサブスロット−基盤であり、(ii)ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)及びＰＵＳＣＨの同時送信がＵＥに設定された状態で、ＰＵＣＣＨ信号を同時に受信することなく、ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を受信することを含む。この様相の他の実施例は、対応するコンピュータシステム、装置及び各々が上記方法の動作を行うように設定された、１つ以上のコンピュータ貯蔵機器に記録されたコンピュータプログラムを含む。
【０００７】
この明細書に説明する特徴の全部又は一部は、１つ以上の非−揮発性(ｎｏｎ−ｔｒａｎｓｉｔｏｒｙ)機械−読み取り可能な(ｍａｃｈｉｎｅ−ｒｅａｄａｂｌｅ)貯蔵媒体上に貯蔵された、また１つ以上のプロセス機器上で実行可能な指示を含むコンピュータプログラム製品(ｐｒｏｄｕｃｔ)で具現することができる。この明細書に説明する特徴の全部又は一部は、１つ以上のプロセス機器及び上記記載した機能(ｆｕｎｃｔｉｏｎ)を具現するための実行可能な指示を貯蔵するメモリを含む。
【０００８】
この明細書の主題(ｓｕｂｊｅｃｔ ｍａｔｔｅｒ)の１つ以上の具現については、添付する図面及び以下の詳しい説明に詳細に記載する。他の特徴、様相及び効果は詳しい説明、図面及び請求範囲から明らかである。
【発明の効果】
【０００９】
この明細書に記載の具現によれば、ＳＰＳ ＰＵＳＣＨ信号の送信及び受信がＵＥとＢＳの間でより正確に行われることができる。
【００１０】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００１１】
【図１】無線通信システムで使用される無線フレーム構造の例を示す図である。
【図２】無線通信システムで使用される無線フレーム構造の例を示す図であり、無線通信システムにおいて下りリンク／上りリンク(ＤＬ／ＵＬ)スロット構造の一例を示す図である。
【図３】３ＧＰＰ ＬＴＥ／ＬＴＥ−Ａシステムと両立できる(ｃｏｍｐａｔｉｂｌｅ)システムで使用されるＤＬサブフレーム構造を例示する図である。
【図４】３ＧＰＰ ＬＴＥ／ＬＴＥ−Ａシステムと両立できるシステムで使用されるＵＬサブフレーム構造の一例を示す図である。
【図５】ユーザ平面の遅延(ｌａｔｅｎｃｙ)減少によるＴＴＩ長さの減少の一例を示す図である。
【図６】１つのサブフレーム内に複数の短い(ｓｈｏｒｔ) ＴＴＩが設定される例を示す図である。
【図７】複数の長さ(シンボル数)を有する短いＴＴＩを含むＤＬサブフレーム構造の例を示す図である。
【図８】２つのシンボル又は３つのシンボルを含む短いＴＴＩを含むＤＬサブフレーム構造の例を示す図である。
【図９】ＵＬ初期送信が開始されるＴＴＩを決定する例を示す図である。
【図１０】ＵＥとｅＮＢのＨＡＲＱプロセスＩＤのタイムラインの一例を示す図である。
【図１１】ＨＡＲＱプロセスＩＤ決定の一例を示す図である。
【図１２】この明細書の具現による上りリンク信号送信及び受信方法を例を示すフローチャートである。
【図１３】この明細書による装置の例を示すブロック図である。
【発明を実施するための形態】
【００１２】
ユーザ機器(ｕｓｅｒ ｅｑｕｉｐｍｅｎｔ、ＵＥ)が上りリンク信号を送信すること及び基地局(ｂａｓｅ ｓｔａｔｉｏｎ、ＢＳ)が上りリンク信号を受信することを可能にする実施例が記載される。
【００１３】
ＬＴＥ(ｌｏｎｇ−ｔｅｒｍ ｅｖｏｌｕｔｉｏｎ)ベースのシステムでは、下りリンク(ｄｏｗｎｌｉｎｋ、ＤＬ)／上りリンク(ｕｐｌｉｎｋ、ＵＬ)スケジューリング(簡略に、動的スケジューリング)が動的ＤＬ／ＵＬグラントにより具現される。動的スケジューリングは毎ＤＬ／ＵＬ送信の間に物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)上へのＤＬ制御情報(ＤＬ ｃｏｎｔｒｏｌ ｉｎｆｏｒｍａｔｉｏｎ、ＤＣＩ)の送信を可能にする。かかるシナリオでは、スケジューリングの柔軟性(ｆｌｅｘｉｂｉｌｉｔｙ)が増加する反面、スケジューリングオーバーヘッドも増加する。
【００１４】
さらに、一部のシステムでは、準−持続的スケジューリング(ｓｅｍｉ−ｐｅｒｓｉｓｔｅｎｔ ｓｃｈｅｄｕｌｉｎｇ、ＳＰＳ)が具現される。ＳＰＳスケジューリングは、インターネットプロトコール上への音声(ｖｏｉｃｅ ｏｖｅｒ Ｉｎｔｅｒｎｅｔ ｐｒｏｔｏｃｏｌ、ＶｏＩＰ)のような、相対的に小さいデータパケットが周期的に送信されるシナリオで有用である。一部のシナリオでは、ＳＰＳスケジューリングはＵＥがＳＰＳセル無線ネットワーク臨時識別子(ｃｅｌｌ ｒａｄｉｏ ｎｅｔｗｏｒｋ ｔｅｍｐｏｒａｒｙ ｉｄｅｎｔｉｆｉｅｒ、Ｃ−ＲＮＴＩ)を有してスクランブルされたＰＤＣＣＨを受信することに基づいて活性化される。ＳＰＳスケジューリングの活性化に基づいて、さらにＰＤＣＣＨを受信せず、ＵＥはＢＳに／からＳＰＳ信号を周期的に送／受信することができる。ＳＰＳスケジューリングを非活性化するために、ＵＥはＳＰＳ Ｃ−ＲＮＴＩを有してスクランブルされたＰＤＣＣＨを受信し、ＳＰＳ信号の送／受信を終了することができる。
【００１５】
一部のシナリオでは、ＳＰＳスケジューリングが活性化された状態でも、ＵＥは動的スケジューリングに該当するＰＤＣＣＨをモニターすることができる。ＳＰＳスケジューリングがＰＤＣＣＨ上の動的スケジューリングと衝突すると、ＵＥは上記動的スケジューリングに従う。
【００１６】
ここに記載された実施例によれば、ＵＥ及びＢＳによるＳＰＳ基盤のＵＬ信号をより効率的かつ正確に送／受信することができる。
【００１７】
一部のシステムでは、ＤＭＲＳは周期的に送信されるＳＰＳ ＰＵＳＣＨ信号の間で共有され、これにより無線リソースの効率的な使用を可能にする。しかし、(例えば、ＵＥが同時ＰＵＣＣＨ−ＰＵＳＣＨ送信を行うように設定されると)ＳＰＳ ＰＵＳＣＨ信号がＰＵＣＣＨ信号と重複する状況が発生し得る。かかる状況では、ＳＰＳ ＰＵＳＣＨ信号の受信が否定的な影響を受けることができる。
【００１８】
この明細書に記載された実施例によれば、ＰＵＣＣＨ−ＰＵＳＣＨ同時送信がＵＥに設定された場合であっても、ＵＥはＰＵＣＣＨ信号を省略する。一部のシナリオでは、本発明の実施例はＵＥがＳＰＳ ＰＵＳＣＨ信号に介してより一定(ｃｏｎｓｔａｎｔ)のレベルで電力を維持するようにする。結果として、ＳＰＳ ＰＵＳＣＨ信号の送／受信がＵＥとＢＳの間でより正確に行われる。
【００１９】
本発明で得られる効果は以上に言及した効果に制限されず、言及しなかった他の効果は下記の記載から本発明が属する当該技術分野における当業者に明確に理解されるであろう。
【００２０】
以下、本発明における様々な具現について添付の図面を参照しながら詳しく説明する。添付の図面はこの明細書の具現例を示し、より詳しい説明を提供する。しかし、この明細書の範囲はこれに限られない。
【００２１】
本発明において、ユーザ機器(ｕｓｅｒ ｅｑｕｉｐｍｅｎｔ、ＵＥ)は、固定していても移動性を有してもよく、基地局(ｂａｓｅ ｓｔａｔｉｏｎ、ＢＳ)と通信してユーザデータ及び／又は各種制御情報を送受信する各種機器がこれに属する。ＵＥは端末(Ｔｅｒｍｉｎａｌ Ｅｑｕｉｐｍｅｎｔ)、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅ Ｓｔａｔｉｏｎ)、無線機器(ｗｉｒｅｌｅｓｓ ｄｅｖｉｃｅ)、ＰＤＡ(Ｐｅｒｓｏｎａｌ Ｄｉｇｉｔａｌ Ａｓｓｉｓｔａｎｔ)、無線モデム(ｗｉｒｅｌｅｓｓ ｍｏｄｅｍ)、携帯機器(ｈａｎｄｈｅｌｄ ｄｅｖｉｃｅ)などと呼ぶことができる。また、本発明において、ＢＳは、一般に、ＵＥ及び／又は他のＢＳと通信する固定局(ｆｉｘｅｄ ｓｔａｔｉｏｎ)のことをいい、ＵＥ及び他のＢＳと通信して各種データ及び制御情報を交換する。ＢＳは、ＡＢＳ(Ａｄｖａｎｃｅｄ Ｂａｓｅ Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ Ｔｒａｎｓｃｅｉｖｅｒ Ｓｙｓｔｅｍ)、接続ポイント(Ａｃｃｅｓｓ Ｐｏｉｎｔ)、ＰＳ(Ｐｒｏｃｅｓｓｉｎｇ Ｓｅｒｖｅｒ)等の他の用語と呼ぶこともできる。以下の説明ではＢＳをｅＮＢと通称する。
【００２２】
本発明でいうノード(ｎｏｄｅ)とは、ユーザ機器と通信して無線信号を送信／受信できる固定した地点(ｐｏｉｎｔ)のことをいう。様々な形態のｅＮＢを、その名称に関係なくノードとして用いることができる。例えば、ＢＳ、ＮＢ、ｅＮＢ、ピコセルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ ｒｅｍｏｔｅ ｈｅａｄ、ＲＲＨ)、無線リモートユニット(ｒａｄｉｏ ｒｅｍｏｔｅ ｕｎｉｔ、ＲＲＵ)とすることもできる。ＲＲＨ、ＲＲＵなどは、一般に、ｅＮＢの電力レベル(ｐｏｗｅｒ ｌｅｖｅｌ)よりも低い電力レベルを有する。ＲＲＨ或いはＲＲＵ(以下、ＲＲＨ／ＲＲＵ)は、一般に、光ケーブルなどの専用回線(ｄｅｄｉｃａｔｅｄ ｌｉｎｅ)でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント(ｐｏｉｎｔ)とも呼ばれる。アンテナがｅＮＢに集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ ａｎｔｅｎｎａ ｓｙｓｔｅｍ，ＣＡＳ)(即ち、単一ノードシステム)とは異なり、多重ノードシステムにおいて複数のノードは一般に一定間隔以上で離れて位置する。これらの複数のノードは、各ノードの動作を制御したり、各ノードを通して送／受信されるデータをスケジューリングする１つ以上のｅＮＢ或いはｅＮＢコントローラによって管理することができる。各ノードは、当該ノードを管理するｅＮＢ或いはｅＮＢコントローラとケーブル或いは専用回線(ｄｅｄｉｃａｔｅｄ ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立したｅＮＢとして動作する。
【００２３】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２４】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを異なるようにする通信技法を、多重−ｅＮＢ ＭＩＭＯ又はＣｏＭＰ(Ｃｏｏｒｄｉｎａｔｅｄ Ｍｕｌｔｉ−Ｐｏｉｎｔ ＴＸ／ＲＸ)という。このようなノード間協調通信のうち、協調送信技法は、ＪＰ(ｊｏｉｎｔ ｐｒｏｃｅｓｓｉｎｇ)とスケジューリング協調(ｓｃｈｅｄｕｌｉｎｇ ｃｏｏｒｄｉｎａｔｉｏｎ)とに区別できる。前者はＪＴ(ｊｏｉｎｔ ｔｒａｎｓｍｉｓｓｉｏｎ)／ＪＲ(ｊｏｉｎｔ ｒｅｃｅｐｔｉｏｎ)とＤＰＳ(ｄｙｎａｍｉｃ ｐｏｉｎｔ ｓｅｌｅｃｔｉｏｎ)に区別し、後者はＣＳ(ｃｏｏｒｄｉｎａｔｅｄ ｓｃｈｅｄｕｌｉｎｇ)とＣＢ(ｃｏｏｒｄｉｎａｔｅｄ ｂｅａｍｆｏｒｍｉｎｇ)に区別できる。ＤＰＳは、ＤＣＳ(ｄｙｎａｍｉｃ ｃｅｌｌ ｓｅｌｅｃｔｉｏｎ)とも呼ぶことができる。他の協調通信技法に比べて、ノード間協調通信技法のうちＪＰを行うとき、より様々な通信環境を形成することができる。ＪＰにおいて、ＪＴは複数のノードが同一のストリームをＵＥに送信する通信技法をいい、ＪＲは複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２５】
一方、本発明でいうセル(ｃｅｌｌ)とは、１つ以上のノードが通信サービスを提供する一定の地理的領域をいう。そのため、本発明で特定セルと通信するとは、特定セルに通信サービスを提供するｅＮＢ或いはノードと通信することを意味する。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ ｃｅｌｌ)という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＥＴ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ(Ｃｈａｎｎｅｌ Ｓｔａｔｅ Ｉｎｆｏｒｍａｔｉｏｎ Ｒｅｆｅｒｅｎｃｅ Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交する場合、これは例えば、ＣＳＩ−ＲＳを運ぶシンボル及び副搬送波を特定するＣＳＩ−ＲＳリソース構成(ｒｅｓｏｕｒｃｅ ｃｏｎｆｉｇｕｒａｔｉｏｎ)、サブフレームオフセット(ｏｆｆｓｅｔ)及び送信周期(ｔｒａｎｓｍｉｓｓｉｏｎ ｐｅｒｉｏｄ)などによってＣＳＩ−ＲＳが割り当てられたサブフレームを特定するサブフレーム構成(ｓｕｂｆｒａｍｅ ｃｏｎｆｉｇｕｒａｔｉｏｎ)、ＣＳＩ−ＲＳシーケンスのうちの少なくとも１つが互いに異なるシナリオを含むことができる。
【００２６】
本発明において、ＰＤＣＣＨ(Ｐｈｙｓｉｃａｌ Ｄｏｗｎｌｉｎｋ Ｃｏｎｔｒｏｌ ＣＨａｎｎｅｌ)／ＰＣＦＩＣＨ(Ｐｈｙｓｉｃａｌ Ｃｏｎｔｒｏｌ Ｆｏｒｍａｔ Ｉｎｄｉｃａｔｏｒ ＣＨａｎｎｅｌ)／ＰＨＩＣＨ(Ｐｈｙｓｉｃａｌ Ｈｙｂｒｉｄ ａｕｔｏｍａｔｉｃ ｒｅｔｒａｎｓｍｉｔ ｒｅｑｕｅｓｔ Ｉｎｄｉｃａｔｏｒ ＣＨａｎｎｅｌ)／ＰＤＳＣＨ(Ｐｈｙｓｉｃａｌ Ｄｏｗｎｌｉｎｋ Ｓｈａｒｅｄ ＣＨａｎｎｅｌ)はそれぞれ、ＤＣＩ(Ｄｏｗｎｌｉｎｋ Ｃｏｎｔｒｏｌ Ｉｎｆｏｒｍａｔｉｏｎ)／ＣＦＩ(Ｃｏｎｔｒｏｌ Ｆｏｒｍａｔ Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ ＡＣＫ)／下りリンクデータを運ぶ時間−周波数リソースの集合或いはリソース要素の集合を意味する。また、ＰＵＣＣＨ(Ｐｈｙｓｉｃａｌ Ｕｐｌｉｎｋ Ｃｏｎｔｒｏｌ ＣＨａｎｎｅｌ)／ＰＵＳＣＨ(Ｐｈｙｓｉｃａｌ Ｕｐｌｉｎｋ Ｓｈａｒｅｄ ＣＨａｎｎｅｌ)／ＰＲＡＣＨ(Ｐｈｙｓｉｃａｌ Ｒａｎｄｏｍ Ａｃｃｅｓｓ ＣＨａｎｎｅｌ)はそれぞれ、ＵＣＩ(Ｕｐｌｉｎｋ Ｃｏｎｔｒｏｌ Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００２７】
図１(ａ)及び図１(ｂ)は、無線通信システムで使用される無線フレームの構造の一例を示す図である。特に、図１(ａ)は周波数分割デュプレックス(ｆｒｅｑｕｅｎｃｙ ｄｉｖｉｓｉｏｎ ｄｕｐｌｅｘ，ＦＤＤ)用フレーム構造を示し、図１(ｂ)は時間分割デュプレックス(ｔｉｍｅ ｄｉｖｉｓｉｏｎ ｄｕｐｌｅｘ，ＴＤＤ)用フレーム構造を示す。
【００２８】
図１(ａ)及び図１(ｂ)を参照すると、３ＧＰＰ ＬＴＥ／ＬＴＥ−Ａベースのシステムにおいて、無線フレームは１０ｍｓ(３０７２００Ｔｓ)の長さを有し、１０個の均等なサイズのサブフレーム(ｓｕｂｆｒａｍｅ，ＳＦ)で構成される。１無線フレームにおける１０個のサブフレームにはそれぞれ番号を与えることができる。ここで、Ｔｓはサンプリング時間を表し、Ｔｓ＝１／(２０４８＊１５ｋＨｚ)で表示される。それぞれのサブフレームは１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ ｔｉｍｅ ｉｎｔｅｒｖａｌ，ＴＴＩ)と定義される。時間リソースは無線フレーム番号(或いは無線フレームインデックスともいう)、サブフレーム番号(或いはサブフレームインデックスともいう)、スロット番号(或いはスロットインデックスともいう)などによって区別できる。
【００２９】
無線フレームは、デュプレックス(ｄｕｐｌｅｘ)技法によって別々に構成することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームと上りリンクサブフレームを全て含む。
【００３０】
表１はＴＤＤモードにおいて、無線フレームにおけるサブフレームのＤＬ−ＵＬ構成を例示するものである。
【００３１】
【表１】
2021500822.tif 000003
【００３２】
表１において、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ Ｐｉｌｏｔ ＴｉｍｅＳｌｏｔ)、ＧＰ(Ｇｕａｒｄ Ｐｅｒｉｏｄ)、ＵｐＰＴＳ(Ｕｐｌｉｎｋ Ｐｉｌｏｔ ＴｉｍｅＳｌｏｔ)の３つのフィールドを含む。ＤｗＰＴＳは下りリンク送信のために留保される時間区間であり、ＵｐＰＴＳは上りリンク送信のために留保される時間区間である。表２は特異サブフレーム構成を例示するものである。
【００３３】
【表２】
2021500822.tif 000004
【００３４】
図２は、無線通信システムにおいて下りリンク／上りリンク(ＤＬ／ＵＬ)スロット構造の一例を示す図である。特に、図２は、アンテナポートごとのリソースグリッド(ｒｅｓｏｕｒｃｅ ｇｒｉｄ)の構造を示す。図２の構造は３ＧＰＰ ＬＴＥ／ＬＴＥ−Ａベースのシステムで具現できる。
【００３５】
図２を参照すると、スロットは時間ドメインで複数のＯＦＤＭ(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ)シンボルを含み、周波数ドメインで複数のリソースブロック(ｒｅｓｏｕｒｃｅ ｂｌｏｃｋ，ＲＢ)を含む。ＯＦＤＭシンボルは１シンボル区間を意味することもある。図２を参照すると、各スロットで送信される信号は、
2021500822.tif 000005
の副搬送波(ｓｕｂｃａｒｒｉｅｒ)と
2021500822.tif 000006
のＯＦＤＭシンボルとで構成されるリソース格子(ｒｅｓｏｕｒｃｅ ｇｒｉｄ)と表現することができる。ここで、
2021500822.tif 000007
は下りリンクスロットにおけるリソースブロック(ｒｅｓｏｕｒｃｅ ｂｌｏｃｋ，ＲＢ)の個数を表し、
2021500822.tif 000008
はＵＬスロットにおけるＲＢの個数を表す。
2021500822.tif 000009
はＤＬ送信帯域幅とＵＬ送信帯域幅にそれぞれ依存する。
2021500822.tif 000010
は下りリンクスロットにおけるＯＦＤＭシンボルの個数を表し、
2021500822.tif 000011
はＵＬスロットにおけるＯＦＤＭシンボルの個数を表す。
2021500822.tif 000012
は１つのＲＢを構成する副搬送波の個数を表す。
【００３６】
ＯＦＤＭシンボルは多重接続方式によって、ＯＦＤＭシンボル、ＳＣ−ＦＤＭ(Ｓｉｎｇｌｅ Ｃａｒｒｉｅｒ Ｆｒｅｑｕｅｎｃｙ Ｄｉｖｉｓｉｏｎ Ｍｕｌｔｉｐｌｅｘｉｎｇ)シンボルなどと呼ぶことができる。１つのスロットに含まれるＯＦＤＭシンボルの数は、チャネル帯域幅、ＣＰ(ｃｙｃｌｉｃ ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは周波数ドメインで、
2021500822.tif 000013
の副搬送波を含む。副搬送波の類型は、データ送信のためのデータ副搬送波、参照信号(ｒｅｆｅｒｅｎｃｅ ｓｉｇｎａｌ)の送信のための参照信号副搬送波、ガードバンド(ｇｕａｒｄ ｂａｎｄ)及び直流(Ｄｉｒｅｃｔ Ｃｕｒｒｅｎｔ，ＤＣ)成分のためのヌル(ｎｕｌｌ)副搬送波に分類することができる。ＤＣ成分のためのヌル副搬送波は未使用のまま残される副搬送波であり、ＯＦＤＭ信号生成過程或いは周波数上り変換過程で搬送波周波数(ｃａｒｒｉｅｒ ｆｒｅｑｕｅｎｃｙ，ｆ０)にマッピングされる。搬送波周波数は中心周波数(ｃｅｎｔｅｒ ｆｒｅｑｕｅｎｃｙ)と呼ばれることもある。
【００３７】
１ＲＢは時間ドメインで
2021500822.tif 000014
(例えば、７個)の連続するＯＦＤＭシンボルと定義され、周波数ドメインで
2021500822.tif 000015
(例えば、１２個)の連続する副搬送波と定義される。参考として、１つのＯＦＤＭシンボルと１つの副搬送波で構成されたリソースをリソース要素(ｒｅｓｏｕｒｃｅ ｅｌｅｍｅｎｔ，ＲＥ)或いはトーン(ｔｏｎｅ)という。従って、１つのＲＢは、
2021500822.tif 000016
のリソース要素で構成される。リソース格子における各リソース要素は、１つのスロットにおけるインデックス対(ｋ，１)によって固有に定義できる。ｋは、周波数ドメインで０から
2021500822.tif 000017
まで与えられるインデックスであり、ｌは時間ドメインで０から
2021500822.tif 000018
まで与えられるインデックスである。 
【００３８】
１サブフレームにおいて
2021500822.tif 000019
の連続した同一副搬送波を占有しながら、当該サブフレームにおける２個のスロットのそれぞれに１個ずつ位置する２個のＲＢを物理リソースブロック(ｐｈｙｓｉｃａｌ ｒｅｓｏｕｒｃｅ ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。即ち、ｎＰＲＢ＝ｎＶＲＢとなる。局部タイプのＶＲＢには０から
2021500822.tif 000020
に番号が与えられ、
2021500822.tif 000021
である。従って、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００３９】
図３は下りリンク(ｄｏｗｎｌｉｎｋ、ＤＬ)サブフレーム構造を例示する図である。この構造は、例えば、３ＧＰＰ ＬＴＥ／ＬＴＥ−Ａベースのシステムで具現できる。
【００４０】
図３を参照すると、ＤＬサブフレームは、時間ドメインで制御領域(ｃｏｎｔｒｏｌ ｒｅｇｉｏｎ)とデータ領域(ｄａｔａ ｒｅｇｉｏｎ)とに区別される。図３を参照すると、サブフレームの１番目のスロットにおいて前側に位置する最大３(或いは４)個のＯＦＤＭシンボルは、制御チャネルが割り当てられる制御領域(ｃｏｎｔｒｏｌ ｒｅｇｉｏｎ)に対応する。以下、ＤＬサブフレームでＰＤＣＣＨ送信に利用可能なリソース領域(ｒｅｓｏｕｒｃｅ ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ ｒｅｇｉｏｎ)に該当する。以下、ＤＬサブフレームでＰＤＳＣＨ送信に利用可能なリソース領域をＰＤＳＣＨ領域と称する。ＤＬ制御チャネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。かかる下りリンク制御チャネルは、例えば、３ＧＰＰ ＬＴＥ／ＬＴＥ−Ａベースのシステムで具現できる。ＰＣＦＩＣＨはサブフレームの最初のＯＦＤＭシンボルで送信され、サブフレームにおいて制御チャネルの送信に用いられるＯＦＤＭシンボルの個数に関する情報を運ぶ。ＰＨＩＣＨはＵＬ送信に対する応答としてＨＡＲＱ(Ｈｙｂｒｉｄ Ａｕｔｏｍａｔｉｃ Ｒｅｐｅａｔ Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４１】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャネル(ｄｏｗｎｌｉｎｋ ｓｈａｒｅｄ ｃｈａｎｎｅｌ，ＤＬ−ＳＣＨ)の送信フォーマット及びリソース割り当て情報、ＵＬ共有チャネル(ｕｐｌｉｎｋ ｓｈａｒｅｄ ｃｈａｎｎｅｌ，ＵＬ−ＳＣＨ)の送信フォーマット及びリソース割り当て情報、ページングチャネル(ｐａｇｉｎｇ ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ ｌａｙｅｒ)制御メッセージのリソース割り当て情報、ＵＥグループ内の個別ＵＥへの送信電力制御命令(Ｔｒａｎｓｍｉｔ Ｃｏｎｔｒｏｌ Ｃｏｍｍａｎｄ Ｓｅｔ)、送信電力制御(Ｔｒａｎｓｍｉｔ Ｐｏｗｅｒ Ｃｏｎｔｒｏｌ)命令、ＶｏＩＰ(Ｖｏｉｃｅ ｏｖｅｒ ＩＰ)の活性化(ａｃｔｉｖａｔｉｏｎ)指示情報、ＤＡＩ(Ｄｏｗｎｌｉｎｋ Ａｓｓｉｇｎｍｅｎｔ Ｉｎｄｅｘ)などを含む。ＤＬ共有チャネル(ｄｏｗｎｌｉｎｋ ｓｈａｒｅｄ ｃｈａｎｎｅｌ，ＤＬ−ＳＣＨ)の送信フォーマット(Ｔｒａｎｓｍｉｔ Ｆｏｒｍａｔ)及びリソース割り当て情報は、ＤＬスケジューリング情報或いはＤＬグラント(ＤＬ ｇｒａｎｔ)とも呼ばれ、ＵＬ共有チャネル(ｕｐｌｉｎｋ ｓｈａｒｅｄ ｃｈａｎｎｅｌ，ＵＬ−ＳＣＨ)の送信フォーマット及びリソース割り当て情報は、ＵＬスケジューリング情報或いはＵＬグラント(ＵＬ ｇｒａｎｔ)とも呼ばれる。１つのＰＤＣＣＨが運ぶＤＣＩは、ＤＣＩフォーマットによってそのサイズと用途が異なり、符号化率によってそのサイズが異なる。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ ａｌｌｏｃａｔｉｏｎ)、ＭＣＳ(ｍｏｄｕｌａｔｉｏｎ ｃｏｄｉｎｇ ｓｃｈｅｍｅ)、ＲＶ(ｒｅｄｕｎｄａｎｃｙ ｖｅｒｓｉｏｎ)、ＮＤＩ(ｎｅｗ ｄａｔａ ｉｎｄｉｃａｔｏｒ)、ＴＰＣ(ｔｒａｎｓｍｉｔ ｐｏｗｅｒ ｃｏｎｔｒｏｌ)、循環シフトＤＭＲＳ(ｃｙｃｌｉｃ ｓｈｉｆｔ ｄｅｍｏｄｕｌａｔｉｏｎ ｒｅｆｅｒｅｎｃｅ ｓｉｇｎａｌ)、ＵＬインデックス、ＣＱＩ(ｃｈａｎｎｅｌ ｑｕａｌｉｔｙ ｉｎｆｏｒｍａｔｉｏｎ)要請、ＤＬ割り当てインデックス(ＤＬ ａｓｓｉｇｎｍｅｎｔ ｉｎｄｅｘ)、ＨＡＲＱプロセスナンバー、ＴＰＭＩ(ｔｒａｎｓｍｉｔｔｅｄ ｐｒｅｃｏｄｉｎｇ ｍａｔｒｉｘ ｉｎｄｉｃａｔｏｒ)、ＰＭＩ(ｐｒｅｃｏｄｉｎｇ ｍａｔｒｉｘ ｉｎｄｉｃａｔｏｒ)情報などの制御情報が適宜選択された組み合わせが下りリンク制御情報としてＵＥに送信される。
【００４２】
一般に、ＵＥに設定された送信モード(ｔｒａｎｓｍｉｓｓｉｏｎ ｍｏｄｅ，ＴＭ)によって当該ＵＥに送信可能なＤＣＩフォーマットが異なる。換言すれば、特定送信モードに設定されたＵＥのためには、全てのＤＣＩフォーマットを使用できることではなく、特定送信モードに対応する一定ＤＣＩフォーマットのみを使用することができる。
【００４３】
ＰＤＣＣＨは、１つ又は複数の連続した制御チャネル要素(ｃｏｎｔｒｏｌ ｃｈａｎｎｅｌ ｅｌｅｍｅｎｔ，ＣＣＥ)の集成(ａｇｇｒｅｇａｔｉｏｎ)上で送信される。ＣＣＥは、ＰＤＣＣＨに無線チャネル状態に基づく符号化率(ｃｏｄｉｎｇ ｒａｔｅ)を提供するために用いられる論理的割り当てユニットである。ＣＣＥは、複数のリソース要素グループ(ｒｅｓｏｕｒｃｅ ｅｌｅｍｅｎｔ ｇｒｏｕｐ，ＲＥＧ)に対応する。例えば、１ＣＣＥは９個のＲＥＧに対応し、１ＲＥＧは４個のＲＥに対応する。３ＧＰＰ ＬＥＴシステムの場合、それぞれのＵＥのためにＰＤＣＣＨが位置可能なＣＣＥセットが具現される。ＵＥが自身のＰＤＣＣＨを発見し得るＣＣＥセットを、ＰＤＣＣＨ探索空間、簡単に探索空間(Ｓｅａｒｃｈ Ｓｐａｃｅ，ＳＳ)と呼ぶ。探索空間内でＰＤＣＣＨが送信可能な個別リソースをＰＤＣＣＨ候補(ｃａｎｄｉｄａｔｅ)と呼ぶ。ＵＥがモニタリングするＰＤＣＣＨ候補の集合を探索空間と定義する。３ＧＰＰ ＬＥＴ／ＬＥＴ−ＡベースのシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために設定される。共通探索空間は、複数のＵＥのために設定される。以下の表は、探索空間を定義する集成レベル(ａｇｇｒｅｇａｔｉｏｎ ｌｅｖｅｌ)を例示するものである。
【００４４】
【表３】
2021500822.tif 000022
【００４５】
１つのＰＤＣＣＨ候補は、ＣＣＥ集成レベルによって１、２、４又は８個のＣＣＥに対応する。ｅＮＢは探索空間内の任意のＰＤＣＣＨ候補上で実際のＰＤＣＣＨ(ＤＣＩ)を送信し、ＵＥはＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みることを意味する。ＵＥは、前記複数のＰＤＣＣＨをモニタリングし、自身のＰＤＣＣＨを検出することができる。基本的には、ＵＥは自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ ｄｅｔｅｃｔｉｏｎ)(ブラインド復号(ｂｌｉｎｄ ｄｅｃｏｄｉｎｇ，ＢＤ))という。
【００４６】
ｅＮＢはデータ領域を介してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ Ｄｏｗｎｌｉｎｋ Ｓｈａｒｅｄ ＣＨａｎｎｅｌ)を割り当てることができる。ＰＣＨ(Ｐａｇｉｎｇ ｃｈａｎｎｅｌ)及びＤＬ−ＳＣＨ(Ｄｏｗｎｌｉｎｋ−ｓｈａｒｅｄ ｃｈａｎｎｅｌ)はＰＤＳＣＨを介して送信される。ＵＥはＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ Ｎｅｔｗｏｒｋ Ｔｅｍｐｏｒａｒｙ Ｉｄｅｎｔｉｔｙ)でＣＲＣ(ｃｙｃｌｉｃ ｒｅｄｕｎｄａｎｃｙ ｃｈｅｃｋ)マスキング(ｍａｓｋｉｎｇ)されており、「Ｂ」という無線リソース(例えば、周波数位置)及び「Ｃ」という送信形式情報(例えば、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００４７】
ＵＥがｅＮＢから受信した信号を復調するには、データ信号と比較する参照信号(ｒｅｆｅｒｅｎｃｅ ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号はセル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。但し、下りリンクでＣＲＳ無しにＤＭ ＲＳのみが送信される場合、データと同じプリコーダを適用して送信されるＤＭ ＲＳは復調の目的にのみ用いることができるため、チャネル測定用ＲＳを別途に提供しなければならない。例えば、いくつのシステム、例えば、３ＧＰＰ ＬＴＥ(−Ａ)ベースのシステムでは、ＵＥがチャネル状態情報を測定できるようにするために、 追加の測定用ＲＳであるＣＳＩ−ＲＳが当該ＵＥに送信される。ＣＳＩ−ＲＳはチャネル状態について相対的に時間による変化度が大きくないという事実に着目し、各サブフレーム毎に送信されるＣＲＳとは異なって、複数のサブフレームで構成される所定の送信周期毎に送信される。
【００４８】
図４は上りリンク(ｕｐｌｉｎｋ、ＵＬ)サブフレーム構造の一例を示す図である。この構造は、例えば、３ＧＰＰ ＬＴＥ／ＬＴＥ−Ａベースのシステムで具現できる。
【００４９】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)が上りリンク制御情報(ｕｐｌｉｎｋ ｃｏｎｔｒｏｌ ｉｎｆｏｒｍａｔｉｏｎ，ＵＣＩ)を運ぶために、制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶために、ＵＬサブフレームのデータ領域に割り当てられてもよい。
【００５０】
ＵＬサブフレームではＤＣ(Ｄｉｒｅｃｔ Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。但し、周波数ホッピングが適用されない場合には、ＲＢ対が同一の副搬送波を占有する。 
【００５１】
ＰＵＣＣＨは、例えば、次の制御情報を送信するために用いることができる。
【００５２】
−ＳＲ(Ｓｃｈｅｄｕｌｉｎｇ Ｒｅｑｕｅｓｔ)：上りリンクＵＬ−ＳＣＨリソースを要請するために用いられる情報である。ＯＯＫ(Ｏｎ−Ｏｆｆ Ｋｅｙｉｎｇ)方式を用いて送信される。
【００５３】
−ＨＡＲＱ−ＡＣＫ：ＰＤＣＣＨに対する応答及び／又はＰＤＳＣＨ上の下りリンクデータパケット(例えば、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００５４】
−ＣＳＩ(Ｃｈａｎｎｅｌ Ｓｔａｔｅ Ｉｎｆｏｒｍａｔｉｏｎ)：下りリンクチャネルに対するフィードバック情報である。ＭＩＭＯ(Ｍｕｌｔｉｐｌｅ Ｉｎｐｕｔ Ｍｕｌｔｉｐｌｅ Ｏｕｔｐｕｔ)−関連フィードバック情報は、ＲＩ(Ｒａｎｋ Ｉｎｄｉｃａｔｏｒ)及びＰＭＩ(Ｐｒｅｃｏｄｉｎｇ Ｍａｔｒｉｘ Ｉｎｄｉｃａｔｏｒ)を含む。
【００５５】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ Ｒｅｆｅｒｅｎｃｅ Ｓｉｇｎａｌ)が設定されたサブフレームでは、サブフレームの最後のＳＣ−ＦＤＭＡシンボルも除く。参照信号はＰＵＣＣＨのコヒーレント(ｃｏｈｅｒｅｎｔ)検出に用いられる。ＰＵＣＣＨは送信される情報によって様々なフォーマットを支援する。
【００５６】
表４はＰＵＣＣＨフォーマットとＵＣＩのマッピング関係の一例を示す。かかるマッピング関係は、例えば、ＬＴＥ/ＬＴＥ−Ａベースのシステムで具現できる。
【００５７】
【表４】
2021500822.tif 000023
【００５８】
表４を参照すると、主にＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報(ｃｈａｎｎｅｌ ｓｔａｔｅ ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００５９】
参照信号(Ｒｅｆｅｒｅｎｃｅ Ｓｉｇｎａｌ；ＲＳ)
【００６０】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ Ｓｉｇｎａｌ)又は参照信号(Ｒｅｆｅｒｅｎｃｅ Ｓｉｇｎａｌ)という。
【００６１】
多重アンテナを用いてデータを送受信する場合、各送信アンテナと受信アンテナの間のチャネル状況を知らないと、正しい信号を受信することができない。従って、各送信アンテナごとに、より詳しくはアンテナポート(ａｎｔｅｎｎａ ｐｏｒｔ)ごとに異なった参照信号が存在しなければならない。
【００６２】
参照信号は上りリンク参照信号と下りリンク参照信号とに区別できる。現在、いくつのシステム、例えば、ＬＥＴベースのシステムにおいて、上りリンク参照信号として、
【００６３】
ｉ)ＰＵＳＣＨ及びＰＵＣＣＨを介して送信された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ Ｓｉｇｎａｌ，ＤＭ−ＲＳ)及び
【００６４】
ii)ｅＮＢが、ネットワークの異なる周波数における上りリンクチャネル品質を測定するためのサウンディング参照信号(Ｓｏｕｎｄｉｎｇ Ｒｅｆｅｒｅｎｃｅ Ｓｉｇｎａｌ，ＳＲＳ)を含む。
【００６５】
一方、下りリンク参照信号としては、例えば、
【００６６】
i) セル内の全ての端末が共有するセル−特定の参照信号(Ｃｅｌｌ−ｓｐｅｃｉｆｉｃ Ｒｅｆｅｒｅｎｃｅ Ｓｉｇｎａｌ，ＣＲＳ);
【００６７】
ii) 特定のＵＥのみのための端末−特定の参照信号(ＵＥ−ｓｐｅｃｉｆｉｃ Ｒｅｆｅｒｅｎｃｅ Ｓｉｇｎａｌ);
【００６８】
iii) ＰＤＳＣＨが送信される場合に、コヒーレントな復調のために送信される(ＤｅＭｏｄｕｌａｔｉｏｎ−Ｒｅｆｅｒｅｎｃｅ Ｓｉｇｎａｌ，ＤＭ−ＲＳ);
【００６９】
iv) 下りリンクＤＭＲＳが送信される場合に、チャネル状態情報(Ｃｈａｎｎｅｌ Ｓｔａｔｅ Ｉｎｆｏｒｍａｔｉｏｎ；ＣＳＩ)を伝達するためのチャネル状態情報の参照信号(Ｃｈａｎｎｅｌ Ｓｔａｔｅ Ｉｎｆｏｒｍａｔｉｏｎ−Ｒｅｆｅｒｅｎｃｅ Ｓｉｇｎａｌ，ＣＳＩ−ＲＳ);
【００７０】
v) ＭＢＳＦＮ(Ｍｕｌｔｉｍｅｄｉａ Ｂｒｏａｄｃａｓｔ Ｓｉｎｇｌｅ Ｆｒｅｑｕｅｎｃｙ Ｎｅｔｗｏｒｋ)モードで送信される信号に対するコヒーレントな復調のために送信されるＭＢＳＦＮ参照信号(ＭＢＳＦＮ Ｒｅｆｅｒｅｎｃｅ Ｓｉｇｎａｌ);及び
【００７１】
vi) 端末の地理的位置情報を推定するために用いられる位置参照信号(Ｐｏｓｉｔｉｏｎｉｎｇ Ｒｅｆｅｒｅｎｃｅ Ｓｉｇｎａｌ)がある。
【００７２】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することができる。この参照信号は、データの送信される領域で送信されなければならない。
【００７３】
例えば、０．５ｍｓｅｃ以下の短いＴＴＩ(ｓＴＴＩ)がデータ送信の最小単位として具現されることができる。かかる具現では、一部のシナリオにおいて短いＴＴＩは減少した遅延(ｒｅｄｕｃｅｄ ｌａｔｅｎｃｙ)を提供する。例えば、図５に示したように、ｅＮＢがデータ(ＰＤＣＣＨ及びＰＤＳＣＨ)の送信を開始してＵＥがＡ／Ｎ(ＡＣＫ／ＮＡＣＫ)の送信を完了するまでのユーザ平面(Ｕｓｅｒ ｐｌａｎｅ；Ｕ−ｐｌａｎｅ)の遅延を１ｍｓｅｃに減らすためには、ｓＴＴＩは約３ＯＦＤＭシンボル単位で構成されることができる。
【００７４】
ＤＬ環境では、かかるｓＴＴＩ内におけるデータの送信／スケジューリングのためのＰＤＣＣＨ(即ち、ｓＰＤＣＣＨ)とｓＴＴＩ内で送信が行われるＰＤＳＣＨ(即ち、ｓＰＤＳＣＨ)が送信されことができ、例えば、図６に示したように、１つのサブフレーム内に複数のｓＴＴＩが互いに異なるＯＦＤＭシンボルを使用して構成される。特に、ｓＴＴＩを構成するＯＦＤＭシンボルは制御チャネル(例えば、レガシー制御チャネル)が送信されるＯＦＤＭシンボルを除いて構成される。ｓＴＴＩ内においてｓＰＤＣＣＨとｓＰＤＳＣＨの送信は、互いに異なるＯＦＤＭシンボル領域を使用してＴＤＭ(ｔｉｍｅ ｄｉｖｉｓｉｏｎ ｍｕｌｔｉｐｌｅｘｉｎｇ)された形態で送信され、互いに異なるＰＲＢ領域／周波数リソースを使用してＦＤＭ(ｆｒｅｑｕｅｎｃｙ ｄｉｖｉｓｉｏｎ ｍｕｌｔｉｐｌｅｘｉｎｇ)された形態で送信されることもできる。
【００７５】
ＵＬ環境も上述した下りリンクのように、ｓＴＴＩ内でデータ送信／スケジューリングが可能であり、既存のＴＴＩ基盤のＰＵＣＣＨとＰＵＳＣＨに対応するチャネルをｓＰＵＣＣＨとｓＰＵＳＣＨと称する。
【００７６】
一部のシステムでは、例えば、ＬＴＥ／ＬＴＥ−Ａベースのシステムにおいて、一般(ｎｏｒｍａｌ)ＣＰのシナリオでは、１ｍｓのサブフレームは１４つのＯＦＤＭシンボルで構成され、シンボルが１ｍｓより短い単位のＴＴＩで構成される場合、１サブフレーム内に複数のＴＴＩが構成されることができる。複数のＴＴＩを構成する方式は、図７(ａ)乃至図７(ｄ)に示したように、２つのシンボル、３つのシンボル、４つのシンボル、７つのシンボルを１つのＴＴＩで構成することができる。一部の実施例では、１つのシンボルがＴＴＩとして構成される場合も設定できる。１つのシンボルが１つのＴＴＩ単位であると、ＰＤＣＣＨ(例えば、レガシーＰＤＣＣＨ)が２つのＯＦＤＭシンボルで送信されるという仮定下では、１２つのＴＴＩが生成される。
【００７７】
図７(ａ)に示したように、２つのシンボルが１つのＴＴＩ単位に該当すると、６つのＴＴＩが生成され、図７(ｂ)に示したように、３つのシンボルが１つのＴＴＩ単位に該当すると、４つのＴＴＩが生成され、図７(ｃ)に示したように、４つのシンボルが１つのＴＴＩ単位に該当すると、３つのＴＴＩが生成されることができる。かかる場合、最初の２つのＯＦＤＭシンボルはＰＤＣＣＨ(例えば、レガシーＰＤＣＣＨ)を送信することができる。
【００７８】
図７(ｄ)に示したように、７つのシンボルが１つのＴＴＩを構成すると、ＰＤＣＣＨを含む７つのシンボル単位の１つのＴＴＩと後の７つのシンボルが１つのＴＴＩとして構成されることができる。この場合、ＵＥがｓＴＴＩを支援するシナリオでは、１つのＴＴＩが７つのシンボルを含むと、１つのサブフレームの前端に位置するＴＴＩ(１番目のスロット)の場合、ＰＤＣＣＨ(例えば、レガシーＰＤＣＣＨ)が送信される前側の２つのＯＦＤＭシンボルについてはパンクチャリングするか又はレートマッチング(ｒａｔｅ−ｍａｔｃｈｉｎｇ)されたと仮定することができる。さらに、５つのシンボルに該当データ及び／又は制御情報が送信されると仮定することもできる。一方、１つのサブフレームの後側に位置するＴＴＩ(２番目のスロット)の場合、ＵＥがパンクチャリングやレートマッチングするリソース領域無しに、７つのシンボルに全てデータ及び／又は制御情報を送信できると仮定できる。
【００７９】
また、この明細書では、２つのＯＦＤＭシンボル(以下、"ＯＳ")を含むｓＴＴＩと３つのＯＳを含むｓＴＴＩが、図８(ａ)及び図８(ｂ)に示したように、１つのサブフレーム内に混在するｓＴＴＩ構造を含めて考慮する。このような２−ＯＳ又は３−ＯＳ ｓＴＴＩを含むｓＴＴＩを簡単に２−シンボルｓＴＴＩ(即ち、２−ＯＳ ｓＴＴＩ)と称する。また、２−シンボルｓＴＴＩ又は３−シンボルｓＴＴＩは、これらが１ｍｓのＴＴＩより短いＴＴＩであるという仮定下で、簡単に２−シンボルＴＴＩ又は３−シンボルＴＴＩと各々称することができる。このように、この明細書の具現が１ｍｓのＴＴＩより短いＴＴＩを活用する通信システム及び技術に関するという仮定下で、この明細書では"ＴＴＩ"という用語が“ｓＴＴＩ”の代わりに簡略に使用されることができる。
【００８０】
また、この明細書では、ニューマロロジー(ｎｕｍｅｒｏｌｏｇｙ)とは、無線通信システムで具現されるＴＴＩの長さ、副搬送波間隔などを意味するか、又は所定のＴＴＩ長さ或いは副搬送波間隔などのようなパラメータ又はそれに基づく通信構造或いはシステムなどを意味する。
【００８１】
図８(ａ)に示したように、＜３,２,２,２,２,３＞のｓＴＴＩパターンでは、ＰＤＣＣＨのシンボル数によってｓＰＤＣＣＨが送信されることもできる。一部のシナリオにおいて、図８(ｂ)の＜２,３,２,２,２,３＞のｓＴＴＩパターンでは、ＰＤＣＣＨ(例えば、レガシーＰＤＣＣＨ)領域のためにｓＰＤＣＣＨの送信が難しいことができる。
【００８２】
ＵＬ ｔｒａｎｓｍｉｓｓｉｏｎ ｗｉｔｈ ｒｅｐｅｔｉｔｉｏｎ
【００８３】
一部のシステムでは、例えば、次のシステム(５Ｇ新しい無線接続技術(ｒａｄｉｏ Ａｃｃｅｓｓ ｔｅｃｈｎｏｌｏｇｙ、ＲＡＴ))では、より広い周波数帯域が様々なサービス或いは要求事項の支援と共に具現されることができる。一例として、超信頼及び低遅延通信(ｕｌｔｒａ ｒｅｌｉａｂｌｅ ａｎｄ ｌｏｗ ｌａｔｅｎｃｙ ｃｏｍｍｕｎｉｃａｔｉｏｎ、ＵＲＬＬＣ)が３ＧＰＰの新しいＲＡＴ(ｎｅｗ ＲＡＴ、ＮＲ)の要求事項であることができ、０.５ｍｓのユーザ平面の遅延とＸバイトのデータ送信を１ｍｓ内に１０^−５のエラー率内に送信する低遅延・超信頼度を要求する。一般的には、一部の具現では、強化したモバイルブロードバンド(ｅｎｈａｎｃｅｄ ｍｏｂｉｌｅ ｂｒｏａｄｂａｎｄ、ｅＭＢＢ)はトラフィック容量が大きいが、ＵＲＬＬＣトラフィックはファイルのサイズが数十〜数百バイト以内であり。散発的に(ｓｐｏｒａｄｉｃ)発生するなど、ｅＭＢＢとＵＲＬＬＣの特性が各々異なる。従って、通常、ｅＭＢＢには送信率を極大化し、制御情報のオーバーヘッドを最小化する送信が活用され、ＵＲＬＬＣには短いスケジューリング時間単位と信頼性のある送信が活用される。
【００８４】
応用分野又はトラフィック種類によっては、物理チャネルの送受信に使用する基準時間の単位が様々である。基準時間は特定の物理チャネルをスケジューリングするための基本単位であり、該当スケジューリング単位を構成するシンボル数及び／又は副搬送波間隔(ｓｕｂｃａｒｒｉｅｒ ｓｐａｃｉｎｇ、ＳＰＳ)などによって基準時間の単位が変化する。
【００８５】
この明細書の実施例では、説明の便宜上、基準時間の単位をスロットとミニスロットに仮定する。スロットは、一例として一般的なデータトラフィック(ｅ．ｇ.，ｅＭＢＢ)に使用されるスケジューリング基本単位である。ミニスロットは、時間ドメインにおいてスロットより小さい時間区間を有し、より特別な目的のトラフィック或いは通信方式(ｅ．ｇ.，ＵＲＬＬＣ、ｕｎｌｉｃｅｎｓｅｄ ｂａｎｄ又はｍｉｌｌｉｍｅｔｅｒ ｗａｖｅなど)で使用するスケジューリングの基本単位である。但し、上記実施例は本発明を説明するためのものであり、ｅＭＢＢがミニスロットに基づいて物理チャネルを送受信する場合、或いはＵＲＬＬＣや他の通信技法がスロットに基づいて物理チャネルを送受信する場合にも本発明の思想から拡張可能である。
【００８６】
ＵＬ ｃｏｌｌｉｓｉｏｎ ｗｉｔｈ ｒｅｐｅｔｉｔｉｏｎ
【００８７】
ＵＲＬＬＣのようにサービス或いはより厳しいＢＬＥＲ(ｂｌｏｃｋ ｅｒｒｏｒ ｒａｔｅ)／遅延／信頼性の要件を要求するトラフィックに対する送信の場合、時間ドメイン繰り返しが考えられる。例えば、特定のＴＢ(ｔｒａｎｓｐｏｒｔ ｂｌｏｃｋ)／ＣＢ(ｃｏｄｅ ｂｌｏｃｋ)(又はＣＢ ｇｒｏｕｐ)のより高い信頼性(及び／又はより短い遅延)を目的として、ＴＴＩ／スロット／シンボル単位の繰り返しが該当チャネルに適用されることができる。このような繰り返しは、ＳＰＳ(ｓｅｍｉ−ｐｅｒｓｉｓｔｅｎｃｅ ｓｃｈｅｄｕｌｉｎｇ)或いはＳＰＳと類似するＰＤＣＣＨ−ｌｅｓｓチャネルの送信に適用されることができ、ＴＴＩバンドリングのような形態であることもでき、又はＮＲで考えられる予め上位階層信号により設定されたリソースにＵＬチャネルを送信するＧｒａｎｔ−ｆｒｅｅ ＵＬチャネル繰り返し送信の形態で適用されることもできる。
【００８８】
実施１−１
【００８９】
特定のＴＢ／ＣＢ(グループ)に対してＴＴＩ／スロット／シンボル単位の繰り返しが設定／指示された場合、該当繰り返しの間にＵＥの送信電力を維持させることが自然である。もしそうではないと、繰り返しの間に好ましくない電力過渡区間が発生することができ、電力過渡区間によってＤＭＲＳオーバーヘッドの軽減のために複数のＴＴＩ／スロットの間のＤＭＲＳ ｂｕｎｄｌｉｎｇ／ｓｈａｒｉｎｇ時に制約が発生し得る。但し、搬送波集成(ＣＡ)の状況や他の搬送波で動的ＵＬグラントによってスケジュールされたＰＵＳＣＨによって電力制限状況になるか(例えば、ＵＥの全体送信電力がＰｃｍａｘのように予め設定された特定の電力値より大きいシナリオ)、或いはＰＵＳＣＨ／ＰＵＣＣＨ同時送信のように繰り返しの間に一部のＴＴＩ／スロット／シンボルでＵＥは電力制限状況になることができ、これによって不可避に電力変更が必要な状況が発生し得る。かかる状況では、以下のようなＵＥ動作が具現される。 
【００９０】
−Ｏｐｔｉｏｎ１：ＵＥは繰り返しに該当する全てのＴＴＩ／スロット／シンボルについて同じ電力を維持する。この場合、他のＴＴＩ／スロット／シンボルの電力割り当てにおいて、既存の電力割り当て規則とは異なる方式で電力が割り当てられる必要がある。一例として、ＰＵＳＣＨ／ＰＵＣＣＨ同時送信時、一般的には、まずＰＵＣＣＨの電力を割り当て、残りの電力がＰＵＳＣＨに割り当てられる。このＯｐｔｉｏｎ１の規則によれば、ＵＥはまず繰り返されているＰＵＳＣＨの電力を割り当て、残りの電力をＰＵＣＣＨに割り当てるように規定されることができる。より一般的には、ＵＥがまず繰り返されているＰＵＳＣＨに電力を割り当て、残りのチャネル(ｅ．ｇ.，ＰＵＣＣＨ及び／又はＵＬグラントＰＤＣＣＨにスケジュールされたＰＵＳＣＨ)について電力スケーリング(ｉ．ｅ．，電力低減)を行うように規定することができる。
【００９１】
−Ｏｐｔｉｏｎ２：ＵＥは繰り返しの途中に電力変更が必要なＴＴＩ／スロット／シンボルが発生する場合、繰り返しの動作を中断することができる。或いはＵＥが該当ＴＴＩ／スロット／シンボルをスキップ(ｓｋｉｐ)して、続けて繰り返すこともできる。
【００９２】
−Ｏｐｔｉｏｎ３：ＤＭＲＳ ｂｕｎｄｌｉｎｇ／ｓｈａｒｉｎｇが適用される時間区間(ｔｉｍｅ ｄｕｒａｔｉｏｎ)の単位で電力変更が許容されることもできる。より詳しくは、ＤＭＲＳ ｂｕｎｄｌｉｎｇ／ｓｈａｒｉｎｇが提要される時間区間内の第１のＴＴＩで電力変更が必要な時は電力変更を許容することができる。しかし、ＤＭＲＳ ｂｕｎｄｌｉｎｇ／ｓｈａｒｉｎｇが適用される時間区間内の第１のＴＴＩではない、中間ＴＴＩで電力変更が必要な時には、繰り返されているチャネルを省略(ｄｒｏｐ)するように規定されるか、又はＯｐｔｉｏｎ１のように電力を維持し、既存の規則とは異なる電力割り当てに従うように規定することができる。繰り返されているチャネルの省略は、ＤＭＲＳ ｂｕｎｄｌｉｎｇ／ｓｈａｒｉｎｇが適用される時間区間内の電力変更が必要なＴＴＩに限ってのみ省略でき、ＤＭＲＳ ｂｕｎｄｌｉｎｇ／ｓｈａｒｉｎｇが適用される時間区間内の電力変更が必要なＴＴＩ以後の時間区間内の全てのＴＴＩに対して省略されることもでき、ＤＭＲＳ ｂｕｎｄｌｉｎｇ／ｓｈａｒｉｎｇが適用される時間区間内の電力変更が必要なＴＴＩ以後の繰り返し終了までの全てのＴＴＩに対して省略されることもできる。
【００９３】
−Ｏｐｔｉｏｎ４：ＴＴＩ内にＤＭＲＳを含むか否か、該当チャネルにＵＣＩを伴うか否か及び／又はセルインデックスなどを考慮して、動的スケジュールＰＵＳＣＨのうち、優先順位の低いチャネルから順に電力減少(ｐｏｗｅｒ ｒｅｄｕｃｔｉｏｎ)及び／又は省略されるように規定することができる。Ｏｐｔｉｏｎ４の動作は、繰り返されているＰＵＳＣＨを除いた残りのチャネルに対してのみ適用されることができ(ｅ．ｇ.，繰り返されているＰＵＳＣＨがより高い優先順位を有する)、電力−無制限(ｎｏｎ−ｐｏｗｅｒ−ｌｉｍｉｔｅｄ)が満たされるまで行われることもできる。
【００９４】
−Ｏｐｔｉｏｎ５：ＰＵＣＣＨは省略及び／又はＰＵＳＣＨを送信するように規定されることができる。特に、ＵＥがＰＵＳＣＨ／ＰＵＣＣＨ同時送信が設定されたにもかかわらず、繰り返しに該当するＰＵＳＣＨの電力を維持するために、この動作が適用されることもできる。より特徴的には、電力制限の有無に関係なく、常にＵＥはＰＵＳＣＨ／ＰＵＣＣＨ同時送信が設定されたにもかかわらず、繰り返しに該当するＰＵＳＣＨの電力を維持するために、ＰＵＣＣＨは省略するように及び／又はＰＵＳＣＨを送信するように規定することができる。
【００９５】
−Ｏｐｔｉｏｎ６：動的スケジュールＰＵＳＣＨに送信されるＵＣＩがある場合は、ＵＥが該当ＵＣＩをＵＬ ＳＰＳ ＰＵＳＣＨにピギーバックし、動的スケジュールＰＵＳＣＨは省略するように規定することができる。
【００９６】
−Ｏｐｔｉｏｎ７：ＵＬ ＳＰＳ ＰＵＳＣＨの電力が維持されるように、ＵＥはまずＵＬ ＳＰＳ ＰＵＳＣＨに電力を割り当て、残りの電力を動的スケジュールＰＵＳＣＨ(及び／又はＰＵＣＣＨ)に割り当てることができる。
【００９７】
−Ｏｐｔｉｏｎ８：ＴＴＩ内にＤＭＲＳを含むか否か、ＵＣＩを伴うか否か及び／又はセルインデックスなどを考慮して、動的スケジュールＰＵＳＣＨ(及び／又はＰＵＣＣＨ)のうち、優先順位が低いチャネルから順に電力減少及び／又は省略されるように規定されることができる。Ｏｐｔｉｏｎ８の動作は、ＵＬ ＳＰＳ ＰＵＳＣＨを除いた残りのチャネルに対してのみ適用されることができ、電力−無制限(ｎｏｎ−ｐｏｗｅｒ−ｌｉｍｉｔｅｄ)が満たされるまで行われることもできる。
【００９８】
ＳＲ(ｓｃｈｅｄｕｌｉｎｇ Ｒｅｑｕｅｓｔ)とスケジュール遅延(ｓｃｈｅｄｕｌｉｎｇ ｄｅｌａｙ)に基づくＵＬデータチャネルの遅延を減らすために、ＳＰＳ基盤、Ｇｒａｎｔ−ｆｒｅｅ或いはＴＴＩ ｂｕｎｄｌｉｎｇ基盤のＵＬ送信が考えられることができる。また、これは制御オーバーヘッド(ｅ．ｇ.，制御チャネルオーバーヘッド)も軽減させる方案になる。もし、ＵＲＬＬＣのようなサービス或いはより厳しいＢＬＥＲ／遅延／信頼性の要件を要求するトラフィックに対する送信である場合、繰り返しが共に考えられる。このようなＳＰＳ基盤或いはＧｒａｎｔ−ｆｒｅｅ基盤のＵＬ繰り返し送信にも、上記Ｏｐｔｉｏｎによる動作を適用することができる。
【００９９】
実施１−２
【０１００】
特定のＴＢ／ＣＢ(グループ)に対してＴＴＩ／スロット／シンボル単位の繰り返しが設定／指示された場合、ネットワークがＤＭＲＳ ｂｕｎｄｌｉｎｇ／ｓｈａｒｉｎｇが適用される時間区間関連情報をＴＴＩ／スロット／シンボル単位でＵＥに提供するように規定することができる。具体的には、ネットワークはＤＭＲＳ ｂｕｎｄｌｉｎｇ／ｓｈａｒｉｎｇが適用される時間区間ごとに異なるＲＳスクランブルＩＤを割り当てるか、ＤＣＩにより相連続性(ｐｈａｓｅ ｃｏｎｔｉｎｕｉｔｙ)関連情報を提供するか、或いは準−静的(ｓｅｍｉ−ｓｔａｔｉｃ)(ｅ．ｇ.，ＲＲＣシグナリング)に予めＤＭＲＳ ｂｕｎｄｌｉｎｇ／ｓｈａｒｉｎｇが適用される時間区間を設定することができる。
【０１０１】
以下の表５にＤＣＩフォーマットの例を示す。このフォーマットは、例えば、(フォーマット７−１Ｆを記載した)３ＧＰＰ技術標準ＴＳ３６.２１２のセッション５.３.３.１.２２ベースのシステムで具現可能である。
【０１０２】
【表５】
2021500822.tif 000024
【０１０３】
特定のＴＢ／ＣＢ(グループ)についてＴＴＩ／スロット／シンボル単位のブラインド／ＨＡＲＱ−ｌｅｓｓ ＰＤＳＣＨ繰り返しが設定／指示された場合、ｅＮＢはＴＴＩ＃ｎでｔｏｔａｌ ＰＤＳＣＨ送信ＴＴＩの数ＫをＤＣＩにより指示し、ＴＴＩ＃ｎ〜ＴＴＩ＃ｎ＋Ｋ−１までＰＤＳＣＨを繰り返して送信することができる。ＵＥのＰＤＣＣＨ紛失(ｍｉｓｓｉｎｇ)を考慮して更にＤＣＩが送信されることもできる。一例として、ＵＥがＴＴＩ＃ｎでＰＤＣＣＨを紛失しても、ネットワークがＴＴＩ＃ｎ＋１でｔｏｔａｌ ＰＤＳＣＨ送信ＴＴＩの数Ｋ−１をＤＣＩにより指示して、ＵＥがこれを成功裏に復号する場合、ＵＥが該当ＴＢに対するＴＴＩ＃ｎ＋１〜ＴＴＩ＃ｎ＋Ｋ−１まで受信することができる。
【０１０４】
かかる状況では、表５の１ビット“ＤＭＲＳ位置表示器”フィールドが曖昧であるという問題があり得る。例えば、“ＤＭＲＳ位置表示器”＝０である場合、ＴＴＩ＃ｎ〜ＴＴＩ＃ｎ＋Ｋ−１のうち、どのＴＴＩにＤＭＲＳが存在するかに関する解釈が曖昧になることができる。“ＤＭＲＳ位置表示器”＝１であると、ＰＤＳＣＨが繰り返して送信される全てのＴＴＩにＤＭＲＳが存在し、“ＤＭＲＳ位置表示器”＝０であると、繰り返して送信されるＴＴＩのうち、奇数(又は偶数)番目のＴＴＩにのみＤＭＲＳが存在すると規定することができる。この場合、ｅＮＢがＵＥのＰＤＣＣＨ紛失を考慮してＴＴＩ＃ｎ＋１でさらにＤＣＩを送信する時、“ＤＭＲＳ位置表示器”＝０に対する指示が、繰り返して送信されるＴＴＩのうち、奇数番目のＴＴＩにＤＭＲＳが存在するか、或いは偶数番目のＴＴＩにＤＭＲＳが存在するかに関する指示が不可能である。
【０１０５】
このような問題からして、特定のＴＢ／ＣＢ(グループ)に対してＴＴＩ／スロット／シンボル単位のブラインド／ＨＡＲＱ−ｌｅｓｓ ＰＤＳＣＨの繰り返しが設定／指示された場合、ＤＭＲＳ ｓｈａｒｉｎｇ動作が好ましくない。従って、特定のＴＢ／ＣＢ(グループ)に対してＴＴＩ／スロット／シンボル単位のブラインド／ＨＡＲＱ−ｌｅｓｓ ＰＤＳＣＨ繰り返しが設定／指示された場合、ＵＥはＤＭＲＳの存在有無を知らせるＤＣＩフィールド(ｅ．ｇ.，ＤＭＲＳ位置表示器)を“ＤＭＲＳ ｂｕｎｄｌｉｎｇが適用される時間区間情報”に再解釈するように規定することができる。
【０１０６】
一部の実施例では、ＤＭＲＳ ｂｕｎｄｌｉｎｇはバンドル内で同じプリコーディングが適用されることを意味する。一例として、特定のＴＢ／ＣＢ(グループ)に対してＴＴＩ／スロット／シンボル単位のブラインド／ＨＡＲＱ−ｌｅｓｓ ＰＤＳＣＨ繰り返しが設定／指示された場合、ＤＭＲＳの存在有無を知らせるＤＣＩフィールドの特定の状態は、ＤＣＩがスケジューリングする全てのＴＴＩに該当する時間区間の間にＤＭＲＳ ｂｕｎｄｌｉｎｇが適用される(同じプリコーディングが適用される)と解釈され、他の状態はＤＣＩがスケジューリングする全てのＴＴＩに該当する時間区間の半分に該当する時間の間(又は所定の／定義された或いはシグナリングにより設定された時間の間)にＤＭＲＳ ｂｕｎｄｌｉｎｇが適用される(同じプリコーディングが適用される)と解釈されることができる。
【０１０７】
さらに他の方案として、特定のＴＢ／ＣＢ(グループ)に対してＴＴＩ／スロット／シンボル単位のブラインド／ＨＡＲＱ−ｌｅｓｓ ＰＤＳＣＨ繰り返しが設定／指示された場合、ＵＥはＤＭＲＳの存在有無を知らせるＤＣＩフィールド(ｅ．ｇ.，ＤＭＲＳ位置表示器)を“ＤＭＲＳ ｂｕｎｄｌｉｎｇが適用されるか否か”により再解釈するように規定することができる。一例として、特定のＴＢ／ＣＢ(グループ)に対してＴＴＩ／スロット／シンボル単位のブラインド／ＨＡＲＱ−ｌｅｓｓ ＰＤＳＣＨ繰り返しが設定／指示される場合、ＤＭＲＳの存在有無を知らせるＤＣＩフィールドの特定の状態は、ＤＣＩがスケジューリングする全てのＴＴＩに該当する時間区間の間にＤＭＲＳ ｂｕｎｄｌｉｎｇが適用される(同じプリコーディングが適用される)ことと解釈され、他の状態はＤＭＲＳ ｂｕｎｄｌｉｎｇが適用されず、各々のＴＴＩで互いに異なるプリコーディングが適用される(即ち、各々のＴＴＩで同じプリコーディングが適用されたと仮定できない)と解釈されることができる。
【０１０８】
実施１−２ａ
【０１０９】
さらに他の方案として、ＵＥに設定／指示されたＰＤＳＣＨの繰り返し回数によって(暗示的に)ＤＭＲＳ ｂｕｎｄｌｉｎｇ／ｓｈａｒｉｎｇに対する動作が異なるように定義されることができる。一例として、特定のＴＢ／ＣＢ(グループ)に対してＴＴＩ／スロット／シンボル単位のブラインド／ＨＡＲＱ−ｌｅｓｓ ＰＤＳＣＨの繰り返しが設定／指示されたＵＥに対して繰り返し回数が一定以下である場合(ｅ．ｇ.，総１つ又は２つのＰＤＳＣＨ送信)、ＤＭＲＳ位置表示器フィールドの解釈を既存の通り維持するか或いはＤＭＲＳが該当ＴＴＩに送信されると見なすように規定することができる。反面、繰り返し回数が一定以上である場合(ｅ．ｇ.，総２つ以上或いは３つ以上のＰＤＳＣＨ送信)、繰り返しに該当する全てのＰＤＳＣＨ送信に対してＤＭＲＳ ｂｕｎｄｌｉｎｇが適用されるように(ｉ．ｅ．，同じプリコーディングが適用されるように)規定するか、所定の／シグナリングされた数のＴＴＩで構成されたＴＴＩグループに対して各グループごとにＤＭＲＳ ｂｕｎｄｌｉｎｇが適用されるように(ｉ．ｅ．，同じプリコーディングが適用されるように)規定するか、或いはｎｏ ＤＭＲＳ ｂｕｎｄｌｉｎｇ(各ＤＭＲＳに対して同じプリコーディングを仮定できないか又は異なるプリコーディングを仮定できる)が適用されるように規定することができる。
【０１１０】
この明細書では、繰り返し回数は特定のＴＢ／ＣＢ(グループ)に対するＴＴＩの総送信数を意味することができる。
【０１１１】
実施１−３
【０１１２】
ＳＰＳ基盤或いはＧｒａｎｔ−ｆｒｅｅ基盤のＵＬ送信の場合、各々の個別チャネルをスケジューリングするＵＬグラントＤＣＩがないので、ＳＰＳ基盤或いはＧｒａｎｔ−ｆｒｅｅ基盤のＵＬ送信に対する閉ループ電力調節(ｃｌｏｓｅｄ−ｌｏｏｐ ｐｏｗｅｒ ａｄｊｕｓｔｍｅｎｔ)のために、グループ−共通のＤＣＩ(ｅ．ｇ.，ＬＴＥにおけるＤＣＩフォーマット３／３Ａ)によりＴＰＣ(ｔｒａｎｓｍｉｔ ｐｏｗｅｒ ｃｏｎｔｒｏｌ)のアップデートが行われることができる。もし、ＳＰＳ基盤或いはＧｒａｎｔ−ｆｒｅｅ或いはＴＴＩ ｂｕｎｄｌｉｎｇ基盤のＵＬ送信に対して繰り返しが設定／指示された場合、ＴＰＣアップデート動作に対する定義が必要である。
【０１１３】
一例として、ＴＰＣ情報が{ｉ−Ｋ_ＰＵＳＣＨ}番目のＴＴＩで送信され、ＵＥがＴＰＣ情報をｉ番目のＴＴＩで適用するように規定されることができる。かかる状況で、ｉ番目のＴＴＩが特定のＴＢ／ＣＢ(グループ)に対する繰り返し中間に位置するＴＴＩに該当する場合、かかるＴＰＣアップデート(ｅ．ｇ.，ＴＰＣ情報の適用)が繰り返しに該当する全てのＴＴＩ／スロット／シンボルに適用されないように規定することができる。この場合、該当ＴＰＣ情報によるＴＰＣアップデートは、繰り返し後、１番目の送信機会に該当するＴＴＩから適用できる。さらに他の方案として、ＴＰＣアップデートが繰り返しの途中に特定のＴＴＩに適用される場合、ＴＰＣアップデートが適用されたＴＴＩとＴＰＣアップデートが適用される前のＴＴＩの間のＤＭＲＳ ｂｕｎｄｌｉｎｇ／ｓｈａｒｉｎｇが適用されないように規定することができる。
【０１１４】
実施１−４
【０１１５】
ＳＰＳ基盤或いはＧｒａｎｔ−ｆｒｅｅ基盤のＵＬ送信の場合、初期送信に対するＨＡＲＱプロセスＩＤがＴＴＩインデックスにより決定されることができる。
【０１１６】
一例として、一部のシステム、例えば、ＬＴＥベースのシステムにおいて、以下の数１により初期送信に対するＨＡＲＱプロセスＩＤが決定される。
【０１１７】
数１
【０１１８】
ＨＡＲＱプロセスＩＤ＝[ｆｌｏｏｒ{ＣＵＲＲＥＮＴ_ＴＴＩ／ｓｅｍｉＰｅｒｓｉｓｔｅｎｔＳｃｈｅｄＩｎｔｅｒｖａｌＵＬ}]ｍｏｄｕｌｏ ｎｕｍｂｅｒＯｆＣｏｎｆＵｌＳＰＳ_Ｐｒｏｃｅｓｓｅｓ
【０１１９】
数１において、ＣＵＲＲＥＮＴ_ＴＴＩはＣＵＲＲＥＮＴ_ＴＴＩ＝[(ＳＦＮ＊１０)＋ｓｕｂｆｒａｍｅ ｎｕｍｂｅｒ]のように定義され、バンドルの最初送信が行われるＴＴＩを意味する。パラメータｓｅｍｉＰｅｒｓｉｓｔｅｎｔＳｃｈｅｄＩｎｔｅｒｖａｌＵＬはＵＬ ＳＰＳ送信の間隔を意味し、ｆｌｏｏｒ{Ｘ}はＸを超えない最大の整数を意味し、パラメータはｎｕｍｂｅｒＯｆＣｏｎｆＵｌＳＰＳ_Ｐｒｏｃｅｓｓｅｓ ＵＥに設定されたＵＬ ＳＰＳプロセスの数を意味する。
【０１２０】
もし、ＳＰＳ基盤或いはＧｒａｎｔ−ｆｒｅｅ或いはＴＴＩ ｂｕｎｄｌｉｎｇ基盤のＵＬ送信に対して繰り返しが設定／指示された場合、初期送信に対するＨＡＲＱプロセスＩＤは繰り返しチャンクに含まれた特定のＴＴＩインデックス(ｅ．ｇ.，繰り返しチャンク内の１番目のＴＴＩインデックス)により計算されるように規定できる。
【０１２１】
この場合、動的スケジュール(ｅ．ｇ.，Ｎｏｎ−ＳＰＳ ＤＣＩ)によって或いはより高い優先順位を有するトラフィック／チャネルなどによって、繰り返しチャンクに含まれた該当ＴＴＩ(ｅ．ｇ.，ＨＡＲＱプロセスＩＤの決定に基礎となるＴＴＩ)送信が省略される場合、ＳＰＳ基盤或いはＧｒａｎｔ−ｆｒｅｅ或いはＴＴＩ ｂｕｎｄｌｉｎｇ基盤のＵＬ送信に対して、繰り返しに対するＨＡＲＱプロセスＩＤの決定方法を以下のように具現できる。
【０１２２】
−Ｏｐｔｉｏｎ１：該当ＴＴＩの実際送信／省略の有無に関係なく、ＨＡＲＱプロセスＩＤは繰り返しチャンク(ｃｈｕｎｋ)の特定のＴＴＩインデックス(ｅ．ｇ.，繰り返しチャンク内の１番目のＴＴＩのインデックス)によって計算されるように規定できる。
【０１２３】
−Ｏｐｔｉｏｎ２：実際送信されるＴＴＩインデックスによってＨＡＲＱプロセスＩＤが計算されるように規定できる。一例として、繰り返しチャンクに該当するＴＴＩのうち、省略されない１番目のＴＴＩのインデックスによってＨＡＲＱプロセスＩＤが決定されることができる。
【０１２４】
実施１−５
【０１２５】
特定のＴＢ／ＣＢ(グループ)に対するＵＬ送信に対して繰り返しが設定／指示された場合、ＯＬＰＣ(ｏｐｅｎ−ｌｏｏｐ ｐｏｗｅｒ ｃｏｎｔｒｏｌ)パラメータ(ｅ．ｇ.，Ｐ_Ｏ、ａｌｐｈａ)及び／又はＴＰＣ蓄積のために、所定の増減値などがＰＵＳＣＨ／ＰＵＣＣＨ繰り返し回数ごとに異なるように設定されることができる。
【０１２６】
例えば、ＵＥは設定／指示された繰り返し回数によって異なる値のＯＬＰＣパラメータを適用して最終送信電力を決定することができる。他の一例として、ＵＥは設定／指示された繰り返し回数によって特定のＴＰＣ命令(ｃｏｍｍａｎｄ)を異なる値に解釈することができる。
【０１２７】
実施１−６
【０１２８】
ＴＤＤの場合、連続するＤＬ又はＵＬ ＴＴＩの回数が設定／指示された繰り返し回数より少ないことができる。この場合、ＵＥが同じ通信方向が提供される次の送信機会が来るまで待機すると、遅延が増加することができるが、厳しい遅延要件のシナリオでは好ましくない。動的スケジューリングによる繰り返しの場合は、ｅＮＢが繰り返し回数を調節することができる。しかし、準−静的基盤の繰り返しの場合には、繰り返し回数を自由に調節することが難しい。従って、一部の実施例では、特定の方向(例えば、ＤＬ又はＵＬ)の送信に対する繰り返しの途中、上記特定の方向とは異なる方向のＴＴＩが存在する場合、繰り返しを中止するように規定することができる。かかる場合、特定の信頼性要件を満たすために必要な繰り返し回数に比べて少ない送信が行われる。このように、連続するＤＬ又はＵＬ ＴＴＩの回数が設定／指示された繰り返し回数より少ない場合、より大きいＯＬＰＣパラメータ(ｅ．ｇ.，Ｐ_Ｏ、ａｌｐｈａ)が繰り返し送信に適用されるように規定することができる。また連続するＤＬ又はＵＬ ＴＴＩの回数が設定／指示された繰り返し回数より少ない場合のための別途のＴＰＣ蓄積のための増減値が定義されることができる。
【０１２９】
さらに他の方案として、特定の方向(ＤＬ又はＵＬ)の送信に対する繰り返しの途中、異なる方向のＴＴＩが存在する場合、このＴＴＩによるギャップがＤＭＲＳ ｂｕｎｄｌｉｎｇ／ｓｈａｒｉｎｇの適用に十分なコヒーレンス時間以内であるか否かによって繰り返しを持続するか否かを決定するように規定できる。一例として、異なる方向のＴＴＩによるギャップのため、ＤＭＲＳ ｂｕｎｄｌｉｎｇした時に性能が劣化する程度であると判断されると、ＵＥは繰り返しを中止することができ、そうではない場合、繰り返しを持続することができる。この時、判断の基準となる最大ギャップがＴＴＩ／スロット／シンボル単位で予め定義されるか、又は上位階層信号或いは物理階層信号により設定／指示されることができる。
【０１３０】
実施１−６ａ
【０１３１】
さらに他の方案として、第１方向(ＤＬ又はＵＬ)の送信に対する繰り返しの途中、第１方向と異なる第２方向のＴＴＩが存在する場合(ｅ．ｇ.，ＤＬ繰り返し送信の途中ＵＬ及び／又は特定のサブフレーム及び／又は特定のサブフレーム内のｓｈｏｒｔ ＴＴＩ及び／又は特定のサブフレームの一部及び／又はＵｐＰＴＳが存在する場合)、第２方向のＴＴＩを除いて、再度第１方向のＴＴＩで繰り返しを持続するように規定することができる。
【０１３２】
一例として、送信方向{Ｄ、Ｄ、Ｄ、Ｓ、Ｕ、Ｄ、Ｄ}が特定の時間区間のために設定／指示されることができる(ここで、“Ｄ”はＤＬを、“Ｕ”はＵＬを、“Ｓ”は特定のサブフレーム又は特定のサブフレーム内のｓｈｏｒｔ ＴＴＩを称する)。もし、ＤＬ繰り返しが１番目のＴＴＩで開始され、総４回のＤＬが送信される場合、ＵＥはＳ及び／又はＵを除いて最初の３回のＤＬ送信、また６番目のＤＬ送信を行うように規定できる。
【０１３３】
さらに他の方案として、第１方向(ＤＬ又はＵＬ)の送信に対する繰り返しの途中、第１方向と異なる第２方向のＴＴＩが存在する場合、第２方向のＴＴＩに該当する時間区間の長さによって、繰り返しを中止するか或いは第２方向のＴＴＩに該当する時間区間をスキップして再度繰り返し送信を持続するかが決定される。一例として、第２方向のＴＴＩに該当する時間区間が一定の長さ以上である場合は、繰り返しが中止され、第２方向のＴＴＩに該当する時間区間が一定未満である場合には、第２方向のＴＴＩに該当する時間区間をスキップして再度繰り返し送信を持続することができる。
【０１３４】
さらに他の方案として、第１方向(ＤＬ又はＵＬ)の送信に対する繰り返しの途中、第１方向と異なる第２方向のＴＴＩが存在する場合、ＴＴＩ長さによって繰り返しを中止するか或いは第２方向のＴＴＩに該当する時間区間をスキップして再度繰り返し送信を持続するかが決定される。一例として、特定長さ以上のＴＴＩ長さ(ｅ．ｇ.，サブフレーム)については、遅延が長くなることができるので、繰り返しが中止され、特定の長さ以下／未満のＴＴＩ長さ(ｅ．ｇ.，スロット)については、第２方向のＴＴＩに該当する時間区間をスキップして再度繰り返し送信を持続することができる。
【０１３５】
実施１−６及び実施１−６ａにおいて、特定のサブフレーム或いはそれに属する(ｓｈｏｒｔ)ＴＴＩは、ＤｗＰＴＳ或いはＵｐＰＴＳの長さによって(或いはＴＴＩ内の実際ＤＬ／ＵＬが送信されるシンボル数によって)ＤＬ又はＵＬであることができる。又は特定のサブフレーム或いはそれに属する(ｓｈｏｒｔ)ＴＴＩは、ＤｗＰＴＳ或いはＵｐＰＴＳの長さに関係なく、常に繰り返されるチャネルの方向とは異なる方向の送信に該当することができ、上記特定のサブフレーム又はｓｈｏｒｔ ＴＴＩが繰り返しＴＴＩ回数の集計時に無視されるか又は繰り返しが終了／中止されることができる。
【０１３６】
一例として、スロット−ＴＴＩが設定された場合、ＤｗＰＴＳの長さによってサブフレーム内の２番目のスロットでＰＤＳＣＨ送信支援の有無が決定される。ＰＤＳＣＨ送信が支援されないスロット−ＴＴＩ(ｅ．ｇ.，特定のサブフレーム設定１／２／６／７が設定される場合、ＤｗＰＴＳの２番目のスロット)は、繰り返しＴＴＩ回数の集計時に無視される反面、ＰＤＳＣＨ送信支援されるスロット−ＴＴＩ(ｅ．ｇ.，特定のサブフレーム設定３／４／８が設定される場合、ＤｗＰＴＳの２番目のスロット)は、繰り返しＴＴＩ回数の集計に含まれて、繰り返し送信中のＰＤＳＣＨを受信するように規定できる。
【０１３７】
実施１−７
【０１３８】
一部のシナリオでは、ＵＬチャネル推定の性能を高めるために、ＳＲＳ(Ｓｏｕｎｄｉｎｇ Ｒｅｆｅｒｅｎｃｅ Ｓｉｇｎａｌ)送信の繰り返しが具現されることができる。特に、ネットワークはＳＲＳの繰り返し送信を１つのＤＣＩによりトリガーすることができる。ＳＲＳ繰り返し回数、ＳＲＳ送信開始ＴＴＩ／スロット／シンボル、ＳＲＳ送信終了ＴＴＩ／スロット／シンボル、ＳＲＳ送信開始時点から繰り返す長さ及びＳＲＳ送信帯域などに関する情報のうちのいずれか１つが予め定義されるか、又は上位／物理階層信号により設定／指示されることができる。
【０１３９】
より特徴的には、ＳＲＳの繰り返し送信の間にＳＲＳの送信リソースが予め定義された或いは上位／物理階層信号により設定／指示されたパターンに従って周波数軸でＴＴＩ／スロット／シンボルによって異なるように決定されることができる。これは、一部のシナリオにおいて、より広い周波数リソースにＳＲＳ送信できるようにするためのものである。
【０１４０】
ＳＲＳ繰り返し送信が支援されるシナリオにおいて、ＳＲＳに対するＯＬＰＣパラメータ(ｅ．ｇ.，Ｐ_Ｏ、ａｌｐｈａ)及び／又はＴＰＣ蓄積のために予め定義された増減値などがＳＲＳの繰り返し回数及び／又はＳＲＳの送信帯域幅(ｉ．ｅ．，ＲＢ数)ごとに異なるように設定されることができる。また、ＳＲＳ繰り返し送信が支援される場合、Ｐ_ＳＲＳ_ｏｆｆｓｅｔ値がＳＲＳの繰り返し回数及び／又はＳＲＳの送信帯域幅(ｉ．ｅ．，ＲＢ数)ごとに異なるように設定されることができる。
【０１４１】
実施１−８
【０１４２】
ＰＵＣＣＨに対してＴＴＩ／スロット／シンボル単位の繰り返しが設定／指示された場合、繰り返しの途中に更なるＨＡＲＱ−ＡＣＫ(或いはＣＳＩ)の送信或いは(ＰＵＣＣＨ／ＰＵＳＣＨ同時送信不可ＵＥに)ＰＵＳＣＨがトリガー／スケジュールされる状況が考えられる。もしかかる動作を許容しない場合、一例としてＰＵＣＣＨ繰り返しの途中にＨＡＲＱ−ＡＣＫ送信を要求するＤＬデータ送信ができないことがある。
【０１４３】
−Ｏｐｔｉｏｎ１：ＰＵＣＣＨ繰り返しの間にさらにＵＣＩ送信が必要な場合、ペイロードによってＰＵＣＣＨフォーマットが異なるように変更されることができる。この場合、特に、ＵＣＩが追加されない場合と異なる値のＯＬＰＣパラメータ(ｅ．ｇ.，Ｐ_Ｏ、ａｌｐｈａ)関連情報及び／又はＴＰＣ蓄積(ａｃｃｕｍｕｌａｔｉｏｎ)のために予め定義された増減値などが予め定義されるか又は上位階層信号によりＵＥに設定されることができる。
【０１４４】
−Ｏｐｔｉｏｎ２：選択的にＵＣＩの追加が許容され、ＵＥは追加されるＵＣＩをＰＵＣＣＨに送信することができる。この時、追加されるＵＣＩは、より高い優先順位のターゲットサービス及び／又はＱｏＳ及び／又はＢＬＥＲの要件及び／又は信頼性の要件及び／又は遅延の要件及び／又はＴＴＩ長さ及び／又はニューマロロジーに対応することができる。また、ＰＵＣＣＨフォーマットの変更(ｓｗｉｔｃｈｉｎｇ)を引き起こさないまでは高い優先順位に該当するＵＣＩの追加が優先して許容されることもできる。
【０１４５】
−Ｏｐｔｉｏｎ３：ＰＵＣＣＨ繰り返しの間にさらにＨＡＲＱ−ＡＣＫ送信が必要な場合、追加されるＨＡＲＱ−ＡＣＫに対して空間／時間／搬送波／周波数ドメインＨＡＲＱ−ＡＣＫバンドリングが適用されることができる。
【０１４６】
−Ｏｐｔｉｏｎ４：ＰＵＣＣＨ繰り返しの間にさらにＵＣＩ送信が必要な場合、追加されるＵＣＩタイプによって追加有無が決定される。特に、ＨＡＲＱ−ＡＣＫはＰＵＣＣＨ繰り返しの間に特定のＴＴＩに追加され、ＣＳＩは追加されず省略されるように規定されることもできる。
【０１４７】
−Ｏｐｔｉｏｎ５：ＰＵＣＣＨ繰り返しの間にＰＵＳＣＨスケジュールされる場合、ＵＥが該当ＴＴＩでＰＵＣＣＨを省略し、ＰＵＣＣＨにおけるＵＣＩをＰＵＳＣＨにピギーバックするように規定することもできる。
【０１４８】
上記Ｏｐｔｉｏｎの具現有無は、ＰＵＣＣＨの送信電力における変動(例えば、電力が予め定義された或いは上位／物理階層信号により設定／指示された臨界値以下であるか否か)によって異なる。一例として、ＰＵＣＣＨ送信電力が一定のレベルより大きく変化すると、更なるＵＣＩ送信を許容せず、ＰＵＣＣＨ繰り返しのみを行うことができる。
【０１４９】
実施１−９
【０１５０】
ＵＥは、該ＵＥの能力に対する様々なタイプの情報をｅＮＢに報告することができる。かかる情報は、例えば、ＵＥが同じＴＴＩ長さ及び／又はニューマロロジーを有する複数の(ユニキャスト)ＰＤＳＣＨに対して同時点に受信できるか否かを示す。例えば、複数のＰＤＳＣＨは異なるターゲットサービス及び／又はＱｏＳ及び／又はＢＬＥＲの要件及び／又は信頼性の要件及び／又は遅延の要件を有する。この場合、ＵＥは複数のＰＤＳＣＨを各々互いに異なるバッファーに受信／貯蔵し、ＰＤＳＣＨを復調／復号するように構成できる。一部のシナリオにおいて、かかる動作は、複数のＰＤＳＣＨに対するＴＢサイズの総合が本来ＵＥが有する最大の支援可能なＴＢサイズより小さいか又は等しいという制限下で支援されることができる。かかる動作を支援するために、複数のＰＤＳＣＨに対するレイヤの総合は本来ＵＥが支援可能な最大の空間レイヤの数より小さいか又は等しいという制限が具現されることができる。一部の実施例において、ｅＮＢはかかる動作に対する上位階層信号をＵＥにシグナリングすることもできる。
【０１５１】
実施１−１０
【０１５２】
ＳＰＳ基盤或いはＧｒａｎｔ−ｆｒｅｅ或いはＴＴＩ ｂｕｎｄｌｉｎｇ基盤のＵＬ送信(ｅ．ｇ.，ＰＵＳＣＨ)に対して繰り返しが設定／指示されたシナリオにおいて、繰り返しに該当する送信とＳＰＳ基盤或いはＧｒａｎｔ−ｆｒｅｅ或いはＴＴＩ ｂｕｎｄｌｉｎｇ基盤の初期送信時間が重畳する場合、繰り返しに該当する送信がより高い優先順位を有するように規定される。かかるシナリオにおいて、ＳＰＳ基盤或いはＧｒａｎｔ−ｆｒｅｅ或いはＴＴＩ ｂｕｎｄｌｉｎｇ基盤の初期送信は、省略されるか又は電力割り当てにおいて優先順位が低くなる。この場合、ＳＰＳ基盤或いはＧｒａｎｔ−ｆｒｅｅ或いはＴＴＩ ｂｕｎｄｌｉｎｇ基盤の上記省略される初期送信は、次のＳＰＳ送信機会に送信されるように規定できる。
【０１５３】
一部の実施例において、上記規則は繰り返し回数が臨界値以下である場合にのみ具現されるか、又はＳＰＳ基盤或いはＧｒａｎｔ−ｆｒｅｅ或いはＴＴＩ ｂｕｎｄｌｉｎｇ基盤の初期送信を省略する回数(又は繰り返しに該当する送信によって電力を低減させた回数)が臨界値以下である場合にのみ適用されることもできる。例えば、繰り返し回数が臨界値を超えるか、或いはＳＰＳ基盤或いはＧｒａｎｔ−ｆｒｅｅ或いはＴＴＩ ｂｕｎｄｌｉｎｇ基盤の初期送信を省略する回数が臨界値を超えるか、或いは繰り返しに該当する送信によって電力を減少させた回数が臨界値を超える場合は、繰り返しが中止され、ＳＰＳ基盤或いはＧｒａｎｔ−ｆｒｅｅ或いはＴＴＩ ｂｕｎｄｌｉｎｇ基盤の初期送信が行われるように規定することができる。
【０１５４】
実施１−１１
【０１５５】
ＳＰＳ基盤或いはＧｒａｎｔ−ｆｒｅｅ基盤のＵＬ送信について繰り返しが設定／指示されたシナリオにおいて、繰り返しに該当する送信とＳＰＳ基盤或いはＧｒａｎｔ−ｆｒｅｅ或いはＴＴＩ ｂｕｎｄｌｉｎｇ基盤の初期送信の時間が重複する場合、繰り返しを直ちに中止し、初期送信を行うように規定することができる。このように、ＵＬ送信の信頼性より遅延がより高い優先順位を有することができる。
【０１５６】
実施１−１２
【０１５７】
ＳＰＳ基盤或いはＧｒａｎｔ−ｆｒｅｅ基盤のＵＬ送信に対して繰り返しが設定／指示されたシナリオにおいて、繰り返しに該当する送信とＳＰＳ基盤或いはＧｒａｎｔ−ｆｒｅｅ或いはＴＴＩ ｂｕｎｄｌｉｎｇ基盤の初期送信の時間が重畳する場合、繰り返し送信と初期送信が同じＴＴＩで全て行われることもできる。これは、一部のシナリオにおいて、できる限り遅延と信頼性性能の両方の劣化を減少させるためのことである。一部の実施例において、もしＵＥが初期送信と繰り返し送信を共に行う場合、初期送信と繰り返し送信に該当する各符号化シンボル(ｅ．ｇ.，変調シンボル)をＳＰＳ送信のために予め割り当てられたリソースにマッピングして送信することもできる。しかし、一部のシナリオでは、これは、全体符号化レートを増加させ、復号性能が低下することができる。
【０１５８】
よって、一部の実施例において、ＳＰＳ或いはＧｒａｎｔ−ｆｒｅｅ或いはＴＴＩ ｂｕｎｄｌｉｎｇのために設定されたリソースにさらに他のリソースが共に使用されるように、ネットワークはＵＥに上位階層信号により更なるリソースを予め設定するか又は予め約束することができる。追加されるリソースが既存の設定されたリソースと周波数軸で離隔する場合、ＵＥのＰＡＰＲ(ｐｅａｋ ｔｏ ａｖｅｒａｇｅ ｐｏｗｅｒ Ｒａｔｉｏ)性能に影響を及ぼすことができる。よって、一部の実施例では、追加されるリソースは既存に設定されたリソースと連接して(例えば、離れず)設定されるように(或いは予め暗示的に約束されるように)制限することができる。
【０１５９】
さらに他の方案として、上記の場合に使用される別のリソースが予め上位階層信号によりＵＥに設定することができる。ＳＰＳ基盤或いはＧｒａｎｔ−ｆｒｅｅ或いはＴＴＩ ｂｕｎｄｌｉｎｇ基盤のＵＬ送信について繰り返しが設定／指示されたシナリオにおいて、繰り返しに該当する送信とＳＰＳ基盤或いはＧｒａｎｔ−ｆｒｅｅ或いはＴＴＩ ｂｕｎｄｌｉｎｇ基盤の初期送信の時間が重畳すると、ＵＥは別に設定されたリソースに繰り返し送信と初期送信を全てマッピングすることもできる。
【０１６０】
さらに他の方案として、上記シナリオに使用されるＵＬ送信の電力が特に予め約束されるか、又は上位階層信号によりＵＥに設定されることもできる。具体的な一例として、元来の繰り返し送信及び／又は初期送信に適用されるＵＬ送信の電力に対するオフセットが予め約束されるか、又は上位階層信号により設定されることができる。
【０１６１】
実施１−１３
【０１６２】
ＳＰＳ基盤或いはＧｒａｎｔ−ｆｒｅｅ基盤のＵＬ送信に対して繰り返しが設定／指示されたシナリオにおいて、例えば、現在送信機会の繰り返し送信がＳＰＳ／Ｇｒａｎｔ−ｆｒｅｅ周期によって決定された次回の送信機会と衝突する程度に繰り返し送信回数が大きく設定されることもできる。一例として、ＳＰＳ周期は１ＴＴＩでありながら、同時に各送信について４回の繰り返しが設定されることもできる。一部のシステムにおいて、例えば、ＬＴＥベースのシステムにおいて、現在のＵＬ ＳＰＳ初期送信に対するＨＡＲＱ ＩＤは以下の表６の例のように決定されることができる。
【０１６３】
【表６】
2021500822.tif 000025
【０１６４】
本発明の一実施例によれば、ＳＰＳ基盤或いはＧｒａｎｔ−ｆｒｅｅ基盤のＵＬ送信に対して繰り返しが設定／指示されたシナリオにおいて、ＨＡＲＱ ＩＤの決定に繰り返し回数が共に考慮されるように規定することができる。一例として、以下の表７のようにＨＡＲＱ ＩＤが決定されることができる。
【０１６５】
【表７】
2021500822.tif 000026
【０１６６】
表７の例は、一部のシナリオにおいて、ＳＰＳ／Ｇｒａｎｔ−ｆｒｅｅ周期により決定された次の送信機会と繰り返し送信の衝突が引き起こされるようにＳＰＳ／Ｇｒａｎｔ−ｆｒｅｅ周期と繰り返し回数が設定され、繰り返し送信が優先する場合、繰り返しに該当する送信のＨＡＲＱ ＩＤが変化しないようにする方案として効果的である。
【０１６７】
実施１−１４
【０１６８】
ＳＰＳ基盤或いはＧｒａｎｔ−ｆｒｅｅ或いはＴＴＩ ｂｕｎｄｌｉｎｇ基盤のＵＬ送信に対して繰り返しが設定／指示されたシナリオにおいて、送信周期と繰り返し回数によって該当ＵＬ送信の初期送信が開始可能なＴＴＩが決定される。
【０１６９】
図９はＵＬ初期送信が開始されるＴＴＩを決定する例を示す。一例として、周期＝６ＴＴＩ、繰り返し回数＝４に設定されたＵＥの場合、各サブフレームの最初の４つのサブスロットでのみＵＬ送信の初期送信が開始されることができる。即ち、送信周期が繰り返し回数に比べて長い場合、一部のＴＴＩでのみＵＬ送信の初期送信が開始されることができる。この場合、一部の実施例によれば、設定／指示された繰り返し回数の送信を達成するために、実際繰り返しに該当するＵＬ送信が、初期送信が開始できないＴＴＩにも許容されるように規定することができる。これにより、一部のシナリオにおいて、繰り返しにより送信されるＴＢの信頼性を確保することができる。
【０１７０】
実施１−１５
【０１７１】
ＳＰＳ基盤或いはＧｒａｎｔ−ｆｒｅｅ基盤のＵＬ送信に対して繰り返しが設定／指示されたシナリオにおいて、繰り返しバンドルに該当する繰り返し送信が特定周期区間の中間に開始され、該当周期区間内で繰り返し回数を満たせないことができる。この場合、ｅＮＢが繰り返し送信の間に初期送信を正確に復号できないと、ＵＥとｅＮＢの間のＨＡＲＱプロセスＩＤに対して互いに異なる値として理解する問題があり得る。
【０１７２】
図１０はＵＥとｅＮＢのＨＡＲＱプロセスＩＤのタイムラインの一例を示す。
【０１７３】
この例において、ＵＬ ＳＰＳのために設定されるＨＡＲＱ ｐｒｏｃｅｓｓの数は８、周期は４であり、ＨＡＲＱプロセスＩＤがＴＴＩインデックス及び／又はＳＰＳ周期などにより決定される状況において(ｅ．ｇ.，ＨＡＲＱプロセスＩＤ＝[ｆｌｏｏｒ(ＣＵＲＲＥＮＴ_ＴＴＩ／ｓｅｍｉＰｅｒｓｉｓｔＳｃｈｅｄＩｎｔｅｒｖａｌＵＬ)] ｍｏｄｕｌｏ ｎｕｍｂｅｒＯｆＣｏｎｆＵｌＳＰＳ−Ｐｒｏｃｅｓｓｅｓ)、図１０のようにＵＥはＴＴＩ＃３で送信を開始する反面、ｅＮＢはＴＴＩ＃４で送信を開始したと見なすことができる。この場合、ＵＥはＨＡＲＱプロセスＩＤ＝０であると理解する反面、ｅＮＢは該当輸送ブロックに対するＨＡＲＱプロセスＩＤ＝１であると理解する問題がある。
【０１７４】
従って、ｅＮＢが特定のＴＴＩで受信したＰＵＳＣＨが初期送信であるか否かを分かるように(よってＵＥと同じ理解のＨＡＲＱプロセスＩＤを導き出すために)、以下の方案が考えられる。
【０１７５】
−Ｏｐｔｉｏｎ１：ＵＥは該当ＰＵＳＣＨが初期送信であるか否かをＰＵＳＣＨに含ませて送信することができる。或いはＵＥは繰り返し送信のうち、何回目の送信であるかに関する情報をＰＵＳＣＨに含ませて送信することができる。
【０１７６】
−Ｏｐｔｉｏｎ２：ＤＭＲＳシーケンスのルートインデックスを繰り返しの各送信ＴＴＩ(グループ)ごとに異なるように設定／約束することができる。一例として、ＰＵＳＣＨのシーケンス−シフトパターンｆ_ｓｓ＝(Ｎ_ＩＤ^ｃｅｌｌ＋ｄｅｌｔａ_ＳＳ) ｍｏｄ３０におけるｄｅｌｔａ_ＳＳは上位階層信号により設定されるが、ｄｅｌｔａ_ｓｓが初期送信であるか否かによって異なるように設定されるか或いは所定の／シグナリングされたオフセットが適用されることができる。又は、繰り返し送信のうち、何回目の送信であるかによってｄｅｌｔａ_ｓｓが異なるように設定されるか又は所定の／シグナリングされたオフセットが適用されることができる。さらに他の方案として、初期送信であるか否かによって或いは繰り返し送信のうち、何回目の送信であるかによってｆ_ｓｓに所定の／シグナリングされたオフセットの適用有無が決定されることができる。
【０１７７】
−Ｏｐｔｉｏｎ３：繰り返し送信のうち、何回目の送信であるかによってＲＶが異なるように決定されることができる。一例として、繰り返しの{Ｘ ｍｏｄ ４}番目の送信に対して、ｘ＝０、１、２、３である場合、ＲＶ＝{０、２、３、１}に決定されることができる。
【０１７８】
−Ｏｐｔｉｏｎ４：繰り返し送信のうち、初期送信と残りの送信に対して異なる周波数リソースを使用するように規定することができる。特に、初期送信は活性化ＤＣＩにより指示されたリソースを使用し、残りの送信に対しては該当リソースに所定の／シグナリングされたオフセットが加えられたリソースを使用するように(或いはその逆に)規定することができる。
【０１７９】
−Ｏｐｔｉｏｎ５：もし繰り返しが設定されたＵＬ ＳＰＳ送信のＨＡＲＱプロセスＩＤが繰り返しの１番目の初期送信ＴＴＩインデックスなどの情報によって決定される場合、ＨＡＲＱプロセスＩＤごとに各々のＤＭＲＳリソース(ｅ．ｇ.，ＤＭＲＳ循環シフト)を結んで繰り返し送信に使用されるように規定することができる。
【０１８０】
図１１はオプション５によるＨＡＲＱプロセスＩＤの決定例を示す図である。
【０１８１】
ＳＰＳの周期が４つのＴＴＩであり、繰り返し要素(ｉ．ｅ．，繰り返しバンドルのための送信の総数)が４つのＴＴＩであるシナリオにおいて、ＵＥは同じＨＡＲＱプロセスＩＤに該当する送信に対しては同じＤＭＲＳ循環シフトを使用して送信することができる。もしＴＴＩ＃３,４,５,６に対して繰り返し送信する場合、ＵＥはＨＡＲＱプロセスＩＤ＝Ｘを仮定する反面、ｅＮＢがＴＴＩ＃３を成功裏に受信できない場合、ＨＡＲＱプロセスＩＤ＝Ｙを仮定することができる。しかし、ＵＥがＨＡＲＱプロセスＩＤ＝Ｘに連関するＤＭＲＳ循環シフト＝ａを使用して送信を行うシナリオにおいて、ｅＮＢはＨＡＲＱプロセスＩＤ＝Ｘであることが分かる。特に、(繰り返し要素がＳＰＳ周期より小さいか又は等しい場合を仮定すると)、１つのＴＢに対する繰り返し送信は最大２つのＨＡＲＱプロセスＩＤを導き出すＴＴＩにわたって送信されるので、偶数のＨＡＲＱプロセスＩＤに１つのＤＭＲＳ循環シフト、奇数のＨＡＲＱプロセスＩＤに他のＤＭＲＳ循環シフトが各々設定されるように規定することができる。
【０１８２】
実施１−１６
【０１８３】
一部のシステム、例えば、ＬＴＥベースのシステムでは、ＵＬ ＳＰＳのシナリオにおいて、特定の指示子(ｅ．ｇ.，１−ビット指示子)によってＤＭＲＳがＴＴＩ内に常に存在するか否かを知らせることができる。
【０１８４】
以下の表８に示すように、ｓＤＣＩフィールドの状態が“１”である場合、ＤＭＲＳ ｓｈａｒｉｎｇが具現されることを意味し、ｓＤＣＩフィールドの状態が“０”である場合、ＤＭＲＳ ｓｈａｒｉｎｇが使用されないことを意味する。
【０１８５】
ＤＭＲＳ ｓｈａｒｉｎｇが使用される場合、ＵＬデータ(ｅ．ｇ.，サブスロットＳＰＳ ＰＵＳＣＨ)が送信される第１ｓＴＴＩ(ｅ．ｇ.，サブスロット)において、該当ＵＬデータのためのＤＭＲＳが送信されることが保障されないことができる。この場合、続く第２ｓＴＴＩで送信されるＤＭＲＳが第１ｓＴＴＩで送信されるＵＬデータのために使用されることができる。第１ｓＴＴＩと第２ｓＴＴＩはＤＭＲＳを共有すると理解できる。
【０１８６】
表８の例では、ｓＤＣＩフィールドが１ビットと記載されているが、これは一例に過ぎず、この明細書はそれに限られない。ｓＤＣＩフィールドは２ビットで構成されるか又は３ビット以上で構成されることができる。また、ｓＤＣＩフィールドは他のフィールド名で呼ばれることもできる。例えば、以下の表９に示すように、表８のｓＤＣＩフィールドはＤＭＲＳパターンフィールドと呼ばれることができる。
【０１８７】
表８を参照すると、ｓＴＴＩ ０は３−シンボル、ｓＴＴＩ １は２−シンボル、ｓＴＴＩ ２は２−シンボル、ｓＴＴＩ ３は２−シンボル、ｓＴＴＩ ４は２−シンボル、ｓＴＴＩ ５は３−シンボルで構成される。ｓＴＴＩ ０〜５は１−サブフレームに対応する。
【０１８８】
例えば ＤＭＲＳ ｓｈａｒｉｎｇが設定される場合(ｅ．ｇ.，ｓＤＣＩフィールド＝１)、ｓＴＴＩ １(Ｄ Ｄ |Ｒ)にはＤＭＲＳが存在しない。ｓＴＴＩ １で送信されるＵＬデータのためのＤＭＲＳはｓＴＴＩ境界を越えてｓＴＴＩ ２で送信される。
【０１８９】
【表８】
2021500822.tif 000027
【０１９０】
表９はＤＭＲＳマッピングの例を示す。かかるマッピングは、例えば、３ＧＰＰ標準文書ＴＳ ３６.２１１ｖ１５.１.０のセッション５.５.２.１.２ベースのシステムで具現可能である。
【０１９１】
【表９】
2021500822.tif 000028
【０１９２】
表９の例において、ＲＥ(ｋ,ｌ)に関連して、変数ｋはＤＭＲＳがマッピングされる副搬送波インデックスを意味し、変数ｌはＤＭＲＳがマッピングされるシンボルのインデックスを意味する。シンボルインデックスは１スロット内で該当シンボルの位置を意味することができる。例えば、サブスロット＃０、＃１及び＃２はスロット＃０を構成し、サブスロット＃３、＃４及び＃５がスロット＃１を構成すると仮定する時、スロット＃０内でシンボルｌ＝０はサブスロット＃０に含まれ、スロット＃１内でシンボルl＝０はサブスロット＃３に含まれる。表９において、各サブスロットに含まれるシンボルの数は上記表８におけるｓＴＴＩに含まれるシンボルの数と同一であることができる。
【０１９３】
表９に含まれたＴａｂｌｅ ５.５.２.１.２−２を参照すると、ＳＰＳサブスロットＰＵＳＣＨに対してＤＭＲＳパターンフィールド＝００はＤＭＲＳ ｓｈａｒｉｎｇが使用されない場合と解釈され、ＳＰＳサブスロットＰＵＳＣＨに対してＤＭＲＳパターンフィールド＝１０はＤＭＲＳ ｓｈａｒｉｎｇが使用される場合と解釈されることができる。
【０１９４】
具体的には、Ｔａｂｌｅ ５.５.２.１.２−２のＤＭＲＳパターンフィールド＝００において、サブスロット＃０のためのＤＭＲＳはサブスロット＃０に含まれたシンボル＃０で送信され、サブスロット＃１のためのＤＭＲＳはサブスロット＃１に含まれたシンボル＃３で送信され、サブスロット＃２のためのＤＭＲＳはサブスロット＃２に含まれたシンボル＃５で送信され、サブスロット＃３のためのＤＭＲＳはサブスロット＃３に含まれたシンボル＃０(ｉ．ｅ．，２番目のスロットにおける１番目のシンボル)で送信され、サブスロット＃４のためのＤＭＲＳはサブスロット＃４に含まれたシンボル＃２で送信され、サブスロット＃５のためのＤＭＲＳはサブスロット＃５に含まれたシンボル＃４で送信される。
【０１９５】
また、Ｔａｂｌｅ ５.５.２.１.２−２のＤＭＲＳパターンフィールド＝１０において、サブスロット＃０のためのＤＭＲＳはサブスロット＃０に含まれたシンボル＃０で送信され、サブスロット＃１のためのＤＭＲＳはサブスロット＃２に含まれたシンボル＃５で送信され(ｉ．ｅ．，ＤＭＲＳ ｓｈａｒｉｎｇ)、サブスロット＃２のためのＤＭＲＳはサブスロット＃２に含まれたシンボル＃５で送信され、サブスロット＃３のためのＤＭＲＳはサブスロット＃４に含まれたシンボル＃２(ｉ．ｅ．，２番目のスロットにおけるシンボル＃２)で送信され(ｉ．ｅ．，ＤＭＲＳ ｓｈａｒｉｎｇ)、サブスロット＃４のためのＤＭＲＳはサブスロット＃４に含まれたシンボル＃２で送信され、サブスロット＃５のためのＤＭＲＳはサブスロット＃５に含まれたシンボル＃４で送信される。
【０１９６】
表９の例において、"Ｔｈｅ ｖａｌｕｅ ｏｆ ｌ ｄｅｐｅｎｄｓ ｏｎ ｔｈｅ ｕｐｌｉｎｋ ｓｕｂｓｌｏｔ ｎｕｍｂｅｒ ａｎｄ ｔｈｅ ＤＭＲＳ−ｐａｔｔｅｒｎ ｆｉｅｌｄ ｉｎ ｔｈｅ ｍｏｓｔ ｒｅｃｅｎｔ ｕｐｌｉｎｋ−ｒｅｌａｔｅｄ ＤＣＩ、ａｃｃｏｒｄｉｎｇ ｔｏ Ｔａｂｌｅ ５.５.２.１.２−１、ｏｒ ａｃｃｏｒｄｉｎｇ ｔｏ Ｔａｂｌｅ ５.５.２.１.２−２ ｉｎ ｃａｓｅ ｏｆ ｓｅｍｉ−ｐｅｒｓｉｓｔｅｎｔ ｓｃｈｅｄｕｌｉｎｇ ｏｆ ｓｕｂｓｌｏｔ−ＰＵＳＣＨ ａｎｄ ｗｉｔｈ ａ ｃｏｎｆｉｇｕｒｅｄ ｐｅｒｉｏｄｉｃｉｔｙ ｏｆ １ ｓｕｂｓｌｏｔ"の文章を参照すると、一部の実施例において、ＳＰＳ周期が１つのサブスロットである時、ＤＭＲＳがマッピングされるシンボルのインデックスがＤＣＩのＤＭＲＳパターンフィールドに基づいて決定される。例えば、ＤＭＲＳ ｓｈａｒｉｎｇが使用可能であれば、これはＳＰＳ周期が１つのサブスロットであるサブスロットＳＰＳ ＰＵＳＣＨ送信として解釈されることができる。
【０１９７】
よって、表９に記載の"Ｉｎ ｃａｓｅ ｏｆ ｓｕｂｓｌｏｔ−ＰＵＳＣＨ ａｎｄ ｓｅｍｉ−ｐｅｒｓｉｓｔｅｎｔ ｓｃｈｅｄｕｌｉｎｇ ｗｉｔｈ ａ ｃｏｎｆｉｇｕｒｅｄ ｐｅｒｉｏｄｉｃｉｔｙ ｌｏｎｇｅｒ ｔｈａｎ １ ｓｕｂｓｌｏｔ、ｔｈｅ ｍａｐｐｉｎｇ ｓｈａｌｌ Ｓｔａｒｔ ａｔ ｓｙｍｂｏｌ l ａｃｃｏｒｄｉｎｇ ｔｏ ｔｈｅ ｆｉｒｓｔ ｒｏｗ ｏｆ Ｔａｂｌｅ ５.５.２.１.２−２"を参照すると、ＳＰＳ周期が１サブスロットを超えるサブスロットＳＰＳ ＰＵＳＣＨ送信に対してはＤＭＲＳ ｓｈａｒｉｎｇが適用されないと解釈することができる(ｉ．ｅ．，ＤＭＲＳパターンフィールド＝００と同じＤＭＲＳ送信)。
【０１９８】
このような表９の記載からして、上述した内容と後述するＤＭＲＳ ｓｈａｒｉｎｇ関連例示でも、特に反対説明がない限り、ＳＰＳが適用されるサブスロットＰＵＳＣＨのＳＰＳ周期は１サブスロットであることを当業者であれば理解できるであろう。
【０１９９】
もしかかる状況において、ＵＥがＰＵＳＣＨ及びＰＵＣＣＨ同時送信を行うと、ＰＵＣＣＨ送信がＵＬ ＳＰＳ ＰＵＳＣＨ送信と時間上重複する問題が発生し得る。これにより、ＵＥが電力制限の状況になると、上記重複はＤＭＲＳ ｓｈａｒｉｎｇによるｅＮＢ側での復調性能に影響を及ぼすことができる。これは、ＤＭＲＳ ｓｈａｒｉｎｇの場合、このＤＭＲＳを使用してチャネルを推定し、それを複数のデータチャネルの復調に活用するが、データチャネルの電力が異なる場合、復調性能が劣化することができるためである。 
【０２００】
ＵＥがＰＵＳＣＨ及びＰＵＣＣＨ同時送信を行うシナリオにおいて、ＵＬ ＳＰＳ ＰＵＳＣＨについてＤＭＲＳ ｓｈａｒｉｎｇが指示され(ｅ．ｇ.，ＤＭＲＳ−ｐａｔｔｅｒｎ ｆｉｅｌｄ＝１０’ｉｎ Ｔａｂｌｅ ５.５.２.１.２−２)、上記ＰＵＣＣＨ送信がＵＬ ＳＰＳ ＰＵＳＣＨ送信と時間上重複する場合(ｅ．ｇ.，これによりＵＥが電力制限の状況、例えば、ＵＥの総送信電力が所定の特定電力値、例えば、Ｐｃｍａｘより大きい状況になる場合)、以下のＵＥ動作が具現されることができる。
【０２０１】
−Ｏｐｔｉｏｎ１：ＰＵＣＣＨに送信されるＵＣＩがＰＵＳＣＨ上にピギーバックされ、ＰＵＣＣＨは省略されるように規定することができる。例えば、ＵＥがＰＵＣＣＨ／ＰＵＳＣＨ同時送信を行うように設定されたシナリオでも、ＵＥはＰＵＣＣＨを省略し、その代わりにＵＣＩをＰＵＳＣＨ上にピギーバックしてｅＮＢに送信することができる。一部の実施例において、ｅＮＢは(ＰＵＣＣＨ／ＰＵＳＣＨ同時送信がＵＥに設定されたにも関わらず)、ＵＥがＰＵＣＣＨを省略すると判断することができ、ＵＥは上記ピギーバックされたＵＣＩをＰＵＳＣＨを介してＵＥから受信することができる。ここで、ＵＣＩがピギーバックされるＰＵＳＣＨは、例えば、ＵＬ ＳＰＳ送信ＰＵＳＣＨであることができる。上述したように、一部の実施例において、ＵＬ ＳＰＳ送信ＰＵＳＣＨはサブスロットＴＴＩの長さを有することができる。又は、一部の実施例においては、ＵＣＩがピギーバックされるＰＵＳＣＨは優先順位レベルによって選択されたＰＵＳＣＨであることができる(ｅ．ｇ.，最低のセルインデックス及び／又はＰＵＣＣＨ／セルグループ内のＤＭＲＳを有するＰＵＳＣＨ)。より一般的には、一部の具現においては、ＰＵＣＣＨが常に省略され及び／又はＵＬ ＳＰＳ ＰＵＳＣＨ(例えば、ＵＣＩがピギーバックされるＳＰＳ ＰＵＳＣＨ)が送信されるように規定することができる。このように一部のシナリオにおいて、かかる方案は、ＰＵＳＣＨ／ＰＵＣＣＨ同時送信がＵＥに設定されたシナリオでも、またＵＥが電力制限の状況になるか否かに関係なく、繰り返しに該当するＰＵＳＣＨの電力を維持してＤＭＲＳ ｓｈａｒｉｎｇを可能にすることができる。
【０２０２】
−Ｏｐｔｉｏｎ２：ＵＥはＵＬ ＳＰＳ ＰＵＳＣＨの電力が維持されるようにまず割り当てた後、残りの電力をＰＵＣＣＨに割り当てることができる。
【０２０３】
−Ｏｐｔｉｏｎ３：ＵＥはＵＬ ＳＰＳに該当するサブスロット−ＰＵＳＣＨが送信されるＴＴＩ内でＤＭＲＳを送信する。これは、ＵＥが該当ＴＴＩに限ってＤＭＲＳ−パターンフィールド＝‘００’(ｉｎ Ｔａｂｌｅ ５.５.２.１.２−２)と見なし、これによりＵＬ−ＳＣＨ及び／又はＤＭＲＳを送信することである。この動作により、ＵＬ ＳＰＳ ＰＵＳＣＨの電力に変化があってもＤＭＲＳが共に送信されるので、復調性能に対する影響を最小化することができる。
【０２０４】
−Ｏｐｔｉｏｎ４：ＰＵＣＣＨを省略し、ＰＵＣＣＨに送信されるＵＣＩ(ｅ．ｇ.，ＨＡＲＱ−ＡＣＫ)も省略する。これは、ＰＵＳＣＨにＨＡＲＱ−ＡＣＫがマッピングされる場合、パンクチャリングによる性能低下を最小化するためのものである。
【０２０５】
同様に、ＵＬ ＳＰＳ ＰＵＳＣＨが送信されるセルと他のセルで動的スケジュールＰＵＳＣＨが時間上重複し、もしこれによって電力制限の状況になると、ＤＭＲＳ ｓｈａｒｉｎｇによるｅＮＢ側における復調性能にも影響を及ぼすことができる。ＵＬ ＳＰＳ ＰＵＳＣＨに対してＤＭＲＳ ｓｈａｒｉｎｇが指示され(ｅ．ｇ.，ＤＭＲＳ−パターンフィールド＝‘１０’ｉｎ Ｔａｂｌｅ ５.５.２.１.２−２)、ＵＬ ＳＰＳ ＰＵＳＣＨが送信されるセルと他のセルで動的スケジュールＰＵＳＣＨ及び／又はＰＵＣＣＨが時間上重複し、もしこれによって電力制限の状況になる場合(ｉ．ｅ．，ＵＥの総送信電力が所定の特定電力値、例えば、Ｐｃｍａｘより大きい場合)、以下のＵＥ動作が具現されることができる。
【０２０６】
−Ｏｐｔｉｏｎ１：動的スケジュールＰＵＳＣＨに送信されるＵＣＩがあった場合は、ＵＬ ＳＰＳ ＰＵＳＣＨにピギーバックし、動的スケジュールＰＵＳＣＨに省略するように規定することができる。
【０２０７】
−Ｏｐｔｉｏｎ２：ＵＥがＵＬ ＳＰＳ ＰＵＳＣＨの電力は維持されるようにまず割り当てた後、残りの電力を動的スケジュールＰＵＳＣＨ(及び／又はＰＵＣＣＨ)に割り当てることができる。
【０２０８】
−Ｏｐｔｉｏｎ３：もし動的スケジュールＰＵＳＣＨにＵＣＩが含まれる場合、動的スケジュールＰＵＳＣＨに優先して電力を割り当てた後、残りの電力をＵＬ ＳＰＳ ＰＵＳＣＨに割り当てることができる。
【０２０９】
−Ｏｐｔｉｏｎ４：ＴＴＩ内にＤＭＲＳを含むか否か及び／又はＵＣＩを伴うか否か及び／又はセルインデックスなどを考慮して、動的スケジュールＰＵＳＣＨ(及び／又はＰＵＣＣＨ)のうち、優先順位が低いチャネルから順に電力削減及び／又は省略するように規定することができる。かかる動作は、ＵＬ ＳＰＳ ＰＵＳＣＨを除いた残りのチャネルに対してのみ適用されることができ、電力−無制限(ｎｏｎ−ｐｏｗｅｒ−ｌｉｍｉｔｅｄ)を満たすまで行われることができる。
【０２１０】
−Ｏｐｔｉｏｎ５：ＵＥはＵＬ ＳＰＳに該当するサブスロット−ＰＵＳＣＨが送信されるＴＴＩ内でＤＭＲＳを送信する。これは、ＵＥが該当ＴＴＩに限ってＤＭＲＳ−パターンフィールド＝‘００’(ｉｎ Ｔａｂｌｅ ５.５.２.１.２−２)と見なし、それによりＵＬ−ＳＣＨ及び／又はＤＭＲＳを送信することができる。この動作により、ＵＬ ＳＰＳ ＰＵＳＣＨの電力に変化があってもＤＭＲＳが共に送信されるので、復調性能に対する影響を最小化することができる。
【０２１１】
実施１−１７
【０２１２】
繰り返しが設定されたＵＬ ＳＰＳ送信のＨＡＲＱプロセスＩＤが繰り返しの１番目の初期送信ＴＴＩインデックスなどの情報により決定される場合、繰り返しの１番目の送信をｅＮＢが認知することが重要である。このために、実施１−１５のＯｐｔｉｏｎ５でのように、ＤＭＲＳリソース(ｅ．ｇ.，ＤＭＲＳ循環シフト)によりｅＮＢがＨＡＲＱプロセスＩＤを区分するためには、ＵＥが毎送信ごとにＤＭＲＳを送ることが重要である。従って、繰り返しが設定／指示されたＵＬ ＳＰＳ送信の場合(特に、１ＴＴＩ周期のサブスロットＵＬ ＳＰＳ)、ＵＥは毎ＴＴＩごとにＤＭＲＳを送信するように規定することができる。即ち、繰り返しが設定／指示されたＵＬ ＳＰＳ送信の場合(特に、１ＴＴＩ周期のサブスロットＵＬ ＳＰＳ)、ＵＥはＤＭＲＳ−パターンフィールド＝‘００’(表５.５.２.１.２−２のＴＳ３６.２１１)と見なし、これにより繰り返されている全てのＴＴＩでＵＬ−ＳＣＨ及び／又はＤＭＲＳを送信するように規定することができる。
【０２１３】
実施１−１８
【０２１４】
特定のサービングセルについて複数のＳＰＳが設定される場合、互いに異なるＳＰＳ ｃｏｎｆｉｇｕｒａｔｉｏｎによる送信が同じＨＡＲＱプロセスＩＤを有すると、ｅＮＢが互いに異なるＳＰＳ ｃｏｎｆｉｇｕｒａｔｉｏｎによる送信を結合してバッファーに貯蔵することができるが、これは好ましくない。
【０２１５】
よって、これを防止するために、特定のサービングセルに設定された複数のＳＰＳ ｃｏｎｆｉｇｕｒａｔｉｏｎに対して異なるＨＡＲＱプロセスＩＤセットが適用されるように規定することができる。１つの方案として、ＵＥに設定されたＳＰＳのための最大ＨＡＲＱ ｐｒｏｃｅｓｓの数を所定の或いはシグナリングされた比率／個数に各ＳＰＳ ｃｏｎｆｉｇｕｒａｔｉｏｎに分配することができる。一例として、最大のＨＡＲＱ ｐｒｏｃｅｓｓの数が８に設定され、ＨＡＲＱプロセスＩＤを１:１に各ＳＰＳ ｃｏｎｆｉｇｕｒａｔｉｏｎに分配した場合、１番目のＳＰＳ ｃｏｎｆｉｇｕｒａｔｉｏｎにＨＡＲＱプロセスＩＤ{０,１,２,３}が割り当てられ、２番目のＳＰＳ ｃｏｎｆｉｇｕｒａｔｉｏｎにＨＡＲＱプロセスＩＤ{４,５,６,７}が割り当てられるように規定することができる。
【０２１６】
さらに他の方案として、もしＵＥに各ＳＰＳ ｃｏｎｆｉｇｕｒａｔｉｏｎに対して最大のＨＡＲＱ ｐｒｏｃｅｓｓの数が各々設定される場合、ＳＰＳ ｃｏｎｆｉｇｕｒａｔｉｏｎごとに該当個数が超えないように分配することもできる。一例として、２つのＳＰＳ ｃｏｎｆｉｇｕｒａｔｉｏｎが設定され、各ＳＰＳ ｃｏｎｆｉｇｕｒａｔｉｏｎに設定された最大のＨＡＲＱ ｐｒｏｃｅｓｓの数が２つ／６つであると、１番目のＳＰＳ ｃｏｎｆｉｇｕｒａｔｉｏｎにＨＡＲＱプロセスＩＤ{０,１}が割り当てられ、２番目のＳＰＳ ｃｏｎｆｉｇｕｒａｔｉｏｎにＨＡＲＱプロセスＩＤ{２,３,４,５,６,７}が割り当てられるように規定することができる。
【０２１７】
さらに他の方案として、１番目のＳＰＳ ｃｏｎｆｉｇｕｒａｔｉｏｎに割り当てられたＨＡＲＱプロセスＩＤを基準として、他のＳＰＳ ｃｏｎｆｉｇｕｒａｔｉｏｎのＨＡＲＱプロセスＩＤは、所定の或いはシグナリングされたオフセットが適用された値が使用されることができる。一例として、１番目のＳＰＳ ｃｏｎｆｉｇｕｒａｔｉｏｎにＨＡＲＱプロセスＩＤ{０,１}が導き出され、オフセットが４であると、２番目のＳＰＳ ｃｏｎｆｉｇｕｒａｔｉｏｎには(ＴＴＩインデックス及び／又は周期などにより決められたＨＡＲＱプロセスＩＤが{０,１}であると)、実際ＨＡＲＱプロセスＩＤ{４,５}が導き出されるように規定することができる。
【０２１８】
図１２はこの明細書の実施例によるＵＬ信号の送／受信方法の一例を示すフローチャートである。図１２は上述した実施例の例示的な具現であり、この明細書は図１２に限られず、上述した内容と重複する説明は省略することができる。
【０２１９】
図１２を参照すると、ＵＥはＢＳから準−持続的スケジューリング(ｓｅｍｉ−ｐｅｒｓｉｓｔｅｎｔ ｓｃｈｅｄｕｌｉｎｇ、ＳＰＳ)物理下りリンク共有チャネル(ｐｈｙｓｉｃａｌ ｕｐｌｉｎｋ ｓｈａｒｅｄ ｃｈａｎｎｅｌ、ＰＵＳＣＨ)に対する下りリンク制御情報(ｄｏｗｎｌｉｎｋ ｃｏｎｔｒｏｌ ｉｎｆｏｒｍａｔｉｏｎ、ＤＣＩ)を物理下りリンク制御(ｐｈｙｓｉｃａｌ ｄｏｗｎｌｉｎｋ ｃｏｎｔｒｏｌ、ＰＤＣＣＨ)信号により受信することができる(１２０５)。例えば、ＤＣＩはＵＬグラントＤＣＩであり、２ビットのＤＭＲＳパターンフィールドを含むことができる。
【０２２０】
ＵＥはＰＤＣＣＨを介して受信されたＤＣＩを復号する(１２１０)。
【０２２１】
ＵＥはＤＣＩに基づいてＳＰＳ ＰＵＳＣＨ信号をＢＳに周期的に送信する(１２１５)。
【０２２２】
ＵＥはＳＰＳ ＰＵＳＣＨ信号がサブスロット基盤のＳＰＳ ＰＵＳＣＨであり、ＤＣＩに含まれたＤＭＲＳ(ｄｅｍｏｄｕｌａｔｉｏｎ ｒｅｆｅｒｅｎｃｅ ｓｉｇｎａｌ)パターンフィールドが第１値に設定された状態で、自分にＰＵＣＣＨ(ｐｈｙｓｉｃａｌ ｕｐｌｉｎｋ ｃｏｎｔｒｏｌ ｃｈａｎｎｅｌ)−ＰＵＳＣＨ同時送信が設定されても、ＰＵＣＣＨ信号を送信せずにＳＰＳ ＰＵＳＣＨ信号によりＵＣＩ(ｕｐｌｉｎｋ ｃｏｎｔｒｏｌ ｉｎｆｏｒｍａｔｉｏｎ)を送信することができる。ＳＰＳ ＰＵＳＣＨ信号の周期が１サブスロットに設定されることもできる。例えば、ＳＰＳ ＰＵＳＣＨ信号がサブスロット基盤のＳＰＳ ＰＵＳＣＨであり、ＳＰＳ ＰＵＳＣＨ信号の周期が１サブスロットに設定され、ＤＣＩに含まれたＤＭＲＳパターンフィールドが第１値に設定された状態で、ＵＣＩのためのＰＵＣＣＨ信号がＳＰＳ ＰＵＳＣＨ信号と時間ドメイン上で重畳する場合、ＵＥは自分にＰＵＣＣＨ−ＰＵＳＣＨ同時送信が設定されても、ＰＵＣＣＨ信号を送信せずにＳＰＳ ＰＵＳＣＨ信号を送信することができる。
【０２２３】
また、ＢＳはＳＰＳ ＰＵＳＣＨ信号がサブスロット基盤のＳＰＳ ＰＵＳＣＨであり、ＤＣＩに含まれたＤＭＲＳパターンフィールドが第１値に設定された状態で、ＵＥにＰＵＣＣＨ−ＰＵＳＣＨ同時送信を設定しても、ＰＵＣＣＨ信号を受信せずにＳＰＳ ＰＵＳＣＨ信号によりＵＣＩを受信することができる。ＳＰＳ ＰＵＳＣＨ信号の周期が１サブスロットに設定されることができる。例えば、ＳＰＳ ＰＵＳＣＨ信号がサブスロット基盤のＳＰＳ ＰＵＳＣＨであり、ＳＰＳ ＰＵＳＣＨ信号の周期が１サブスロットに設定され、ＤＣＩに含まれたＤＭＲＳパターンフィールドが第１値に設定された状態で、ＵＣＩのためのＰＵＣＣＨ信号がＳＰＳ ＰＵＳＣＨ信号と時間ドメイン上で重畳する場合、ＢＳはＵＥにＰＵＣＣＨ−ＰＵＳＣＨ同時送信が設定されても、ＰＵＣＣＨ信号を受信せずにＳＰＳ ＰＵＳＣＨ信号を受信することができる。
【０２２４】
ＰＵＣＣＨ信号を送信しない場合、ＵＣＩはピギーバック方式でＳＰＳ ＰＵＳＣＨ信号により送信されることができる。
【０２２５】
ＵＣＩはＨＡＲＱ−ＡＣＫ及びＳＲ(ｓｃｈｅｄｕｌｉｎｇ Ｒｅｑｕｅｓｔ)のうちのいずれか１つを含む。
【０２２６】
ＤＭＲＳパターンフィールドが第１値に設定される場合、１回のＵＬ ＤＭＲＳ送信が複数のＳＰＳ ＰＵＳＣＨ信号送信の間で共有されることができる。
【０２２７】
ＤＭＲＳパターンフィールドは、該当ＳＰＳ ＰＵＳＣＨ信号と該当ＵＬ ＤＭＲＳが常に同じサブスロットで送信されるか否かを示す。ＤＭＲＳパターンフィールドが第１値(ｅ．ｇ.，ビット値１０)に設定される場合、該当ＳＰＳ ＰＵＳＣＨ信号と該当ＵＬ ＤＭＲＳは異なるサブスロットで送信されることができる。ＤＭＲＳパターンフィールドが第２値(ｅ．ｇ.，ビット値００)に設定される場合、該当ＳＰＳ ＰＵＳＣＨ信号と該当ＵＬ ＤＭＲＳは常に同じサブスロットで送信されるる。
【０２２８】
ＤＭＲＳパターンフィールドが第１値に設定される場合、サブスロット＃１で送信されるＳＰＳ ＰＵＳＣＨ信号のためのＵＬ ＤＭＲＳはサブスロット＃２で送信され、サブスロット＃４で送信されるＳＰＳ ＰＵＳＣＨ信号のためのＵＬ ＤＭＲＳはサブスロット＃５で送信される。
【０２２９】
ＤＭＲＳパターンフィールドは２ビットであり、第１値はビット値'１０'である。
【０２３０】
ＵＥはＰＵＣＣＨ信号によりＳＰＳ ＰＵＳＣＨ信号の送信電力が変化するか否かに関係なくＰＵＣＣＨ信号を省略することができる。
【０２３１】
ＵＥにはＵＬ ＳＰＳに関連して複数のＵＬ ＳＰＳが設定されることができる。複数のＵＬ ＳＰＳ設定には、各々異なるＨＡＲＱプロセスセットが連携することができる。
【０２３２】
図１３はこの明細書を実施する送信装置１０及び受信装置２０の例を示すブロック図である。送信装置１０及び受信装置２０は各々、情報及び／又はデータ、信号、メッセージなどを運ぶ無線信号を送信又は受信する送信器／受信器１３、２３と、無線通信システム内の通信に関連する各種情報を貯蔵する少なくとも１つのメモリ１２、２２と、該送信器／受信器１３、２３及びメモリ１２、２２などの構成要素と動作的に連結されて送信器／受信器１３、２３及び／又はメモリ１２、２２を制御し、該当装置が上述した実施例のうちのいずれか１つを具現するようにするメモリ１２、２２及び／又は送信器／受信器１３,２３を制御する少なくとも１つのプロセッサ１１、２１とを含む。
【０２３３】
メモリ１２、２２は、プロセッサ１１、２１の処理及び制御のためのプログラムを貯蔵し、入出力される情報を臨時貯蔵することもできる。メモリ１２、２２はバッファーとして活用されることもできる。プロセッサ１１、２１は通常、送信装置又は受信装置内の各種モジュールの全般的な動作を制御する。特に、プロセッサ１１、２１は、この明細書を行うための各種制御機能を行う。プロセッサ１１、２１はコントローラ、マイクロコントローラ、マイクロプロセッサ、マイクロ コンピュータなどとも呼ぶことができる。プロセッサ１１、２１は、ハードウェア又はファームウェア(ｆｉｒｍｗａｒｅ)、ソフトウェア又はこれらの結合により具現できる。ハードウェアを用いてこの明細書を具現する場合、この明細書を行うように構成されたＡＳＩＣｓ(ａｐｐｌｉｃａｔｉｏｎ ｓｐｅｃｉｆｉｃ ｉｎｔｅｇｒａｔｅｄ ｃｉｒｃｕｉｔｓ)又はＤＳＰＳ(ｄｉｇｉｔａｌ ｓｉｇｎａｌ ｐｒｏｃｅｓｓｏｒｓ)、ＤＳＰＤｓ(ｄｉｇｉｔａｌ ｓｉｇｎａｌ ｐｒｏｃｅｓｓｉｎｇ ｄｅｖｉｃｅｓ)、ＰＬＤｓ(ｐｒｏｇｒａｍｍａｂｌｅ ｌｏｇｉｃ ｄｅｖｉｃｅｓ)、ＦＰＧＡｓ(ｆｉｅｌｄ ｐｒｏｇｒａｍｍａｂｌｅ ｇａｔｅ ａｒｒａｙｓ)などがプロセッサ１１、２１に備えられる。一方、ファームウェアやソフトウェアによる具現の場合には、この明細書の機能又は動作を行うモジュール、手順、関数などを含むようにファームウェアやソフトウェアが構成され、この明細書を行うようにファームウェアやソフトウェアはプロセッサ１１、２１内に備えられるか、又はメモリ１２、２２に貯蔵されてプロセッサ１１、２１により駆動される。
【０２３４】
送信装置１０のプロセッサ１１は、プロセッサ１１又は該プロセッサ１１に連結されたスケジューラによりスケジューリングされて外部に送信される信号及び／又はデータについて所定の符号化(ｃｏｄｉｎｇ)及び変調(ｍｏｄｕｌａｔｉｏｎ)を行った後、送信器／受信器１３に送信する。例えば、プロセッサ１１は、送信しようとするデータ列を逆多重化及びチャネル符号化、スクランブル、変調過程などによりＫ個のレイヤに変換する。符号化されたデータ列はコードワードとも呼ばれ、ＭＡＣ階層が提供するデータブロックである送信ブロックと等価である。１送信ブロック(ｔｒａｎｓｐｏｒｔ ｂｌｏｃｋ、ＴＢ)は１コードワードに符号化され、各コードワードは１つ以上のレイヤの形態で受信装置に送信される。周波数の上り変換のために、送信器／受信器１３はオシレータ(ｏｓｃｉｌｌａｔｏｒ)を含むことができる。送信器／受信器１３はＮｔ個(Ｎｔは１以上の正の整数)の送信アンテナを含む。
【０２３５】
受信装置２０の信号処理過程は、送信装置１０の信号処理過程の逆で構成される。プロセッサ２１の制御下で、受信装置２０の送信器／受信器２３は送信装置１０により送信された無線信号を受信する。送信器／受信器２３はＮｒ個の受信アンテナを含み、該受信アンテナにより受信された信号を各々周波数下り変換して基底帯域信号に復元する。送信器／受信器２３は周波数下り変換のためにオシレータを含む。プロセッサ２１は受信アンテナにより受信された無線信号に対する復号及び復調を行って、送信装置１０が本来送信しようとするデータを復元することができる。
【０２３６】
送信器／受信器１３、２３は１つ以上のアンテナを備える。アンテナは、プロセッサ１１、２１の制御下でこの明細書の一実施例によって、送信器／受信器１３、２３により処理された信号を外部に送信するか又は外部から無線信号を受信して送信器／受信器１３、２３に伝達する機能を行う。アンテナはアンテナポートとも呼ばれる。各アンテナは１つの物理アンテナに該当するか、又は１つ以上の物理アンテナ要素の組み合わせによって構成される。各アンテナから送信された信号は、受信装置２０によりさらに分解されることができない。該当アンテナに対応して送信された参照信号は、受信装置２０の観点からのアンテナを定義し、チャネルが１物理アンテナからの単一の無線チャネルであるか、或いはアンテナを含む複数の物理アンテナ要素からの合成(ｃｏｍｐｏｓｉｔｅ)チャネルであるかに関係なく、受信装置２０をしてアンテナに対するチャネル推定できるようにする。即ち、アンテナは該アンテナ上のシンボルを伝達するチャネルが上記同じアンテナ上の他のシンボルが伝達されるチャネルから導き出されるように定義される。複数のアンテナを用いてデータを送受信する多重入出力する(Ｍｕｌｔｉ−Ｉｎｐｕｔ Ｍｕｌｔｉ−Ｏｕｔｐｕｔ、ＭＩＭＯ)機能を支援する送信器／受信器の場合には、２つ以上のアンテナに連結されることができる。
【０２３７】
この明細書の具現において、ＵＥ又は端末は、上りリンクでは送信装置１０として動作し、下りリンクでは受信装置２０として動作する。この明細書の具現において、ｅＮＢ又はｅＮＢは、上りリンクでは受信装置２０として動作し、下りリンクでは送信装置１０として動作する。
【０２３８】
上記送信装置及び／又は受信装置は、上述した実施例のうち、少なくとも１つ又は２つ以上の具現の組み合わせを行うことができる。
【０２３９】
以上のように開示された本発明の好適な実施形態についての詳細な説明は当業者が本発明を具現して実施することができるように提供した。以上では本発明の好適な実施形態に基づいて説明したが、当該技術分野の熟練した当業者は下記の特許請求範囲に記載された本発明の思想及び領域から逸脱しない範疇内で本発明を多様に修正及び変更することができることを理解することが可能であろう。よって、本発明はここで開示した実施形態に制限されるものではなく、ここで開示した原理及び新規の特徴と一致する最広の範囲を付与しようとするものである。
【産業上の利用可能性】
【０２４０】
本発明は端末、リレー、基地局などのような無線通信装置に使用できる。
【図１】
2021500822.tif 000029
【図２】
2021500822.tif 000030
【図３】
2021500822.tif 000031
【図４】
2021500822.tif 000032
【図５】
2021500822.tif 000033
【図６】
2021500822.tif 000034
【図７】
2021500822.tif 000035
【図８】
2021500822.tif 000036
【図９】
2021500822.tif 000037
【図１０】
2021500822.tif 000038
【図１１】
2021500822.tif 000039
【図１２】
2021500822.tif 000040
【図１３】
2021500822.tif 000041
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
無線通信システムにおいてユーザ機器(ｕｓｅｒ ｅｑｕｉｐｍｅｎｔ、ＵＥ)が上りリンク(ｕｐｌｉｎｋ、ＵＬ)信号を送信する方法において、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)信号により受信し、
前記ＤＣＩに基づいてＳＰＳ ＰＵＳＣＨ信号を送信することを含み、
前記ＤＣＩに基づいて前記ＳＰＳ ＰＵＳＣＨ信号を送信することは、
(i)前記ＳＰＳ ＰＵＳＣＨ信号がサブスロット−ベースであり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)パターンフィールドが第１値にセットされ、(iii)前記ユーザ機器が同時前記ＰＵＳＣＨ及び物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)送信に設定された状態で、
ＰＵＣＣＨ信号を同時に送信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を送信することを含む、方法。
【請求項２】
前記ＳＰＳ ＰＵＳＣＨの周期は１つのサブスロットであるように設定される、請求項１に記載の方法。
【請求項３】
前記ＰＵＣＣＨ信号の送信は前記ＳＰＳ ＰＵＳＣＨ信号の送信と時間ドメイン上で重畳するように設定される、請求項１又は２に記載の方法。
【請求項４】
前記第１値にセットされた前記ＤＭＲＳパターンフィールドに基づいて、１回のＤＬ ＤＭＲＳ送信が複数のＳＰＳ ＰＵＳＣＨ信号送信の間で共有されるように設定される、請求項１〜３のいずれか一項に記載の方法。
【請求項５】
前記ＤＭＲＳパターンフィールドは、前記ＳＰＳ ＰＵＳＣＨ信号とＵＬ ＤＭＲＳが同じサブスロットで送信されるか否かを示す、請求項１〜４のいずれか一項に記載の方法。
【請求項６】
前記第１値にセットされた前記ＤＭＲＳパターンフィールドに基づいて、前記ＳＰＳ ＰＵＳＣＨ信号と前記ＵＬ ＤＭＲＳは異なるサブスロットで送信され、
第２値にセットされた前記ＤＭＲＳパターンフィールドに基づいて、前記ＳＰＳ ＰＵＳＣＨ信号と前記ＵＬ ＤＭＲＳは同じサブスロットで送信されるように制限される、請求項５に記載の方法。
【請求項７】
前記第１値にセットされた前記ＤＭＲＳパターンフィールドに基づいて、
サブスロット＃１で送信されたＳＰＳ ＰＵＳＣＨ信号に対する第１ＵＬ ＤＭＲＳはサブスロット＃２で送信され、
サブスロット＃３で送信されたＳＰＳ ＰＵＳＣＨ信号に対する第２ＵＬ ＤＭＲＳはサブスロット＃４で送信される、請求項５又は６に記載の方法。
【請求項８】
前記ＤＭＲＳパターンフィールドは２ビットであり、
前記第１値はビット値'１０'を有する、請求項１〜７のいずれか一項に記載の方法。
【請求項９】
i)前記ＳＰＳ ＰＵＳＣＨ信号がサブスロット−ベースであり、(ii)前記ＤＣＩに含まれた前記ＤＭＲＳパターンフィールドが第１値にセットされ、(iii)前記ＵＥが同時ＰＵＳＣＨ及び前記ＰＵＣＣＨ送信に設定された状態で、また前記ＳＰＳ ＰＵＳＣＨ信号により前記ＵＣＩを送信することに基づいて、
前記ＳＰＳ ＰＵＳＣＨ信号の送信電力がＰＵＣＣＨ信号により変動するか否かに関係なく、前記ＰＵＣＣＨ信号を省略することをさらに含む、請求項１〜８のいずれか一項に記載の方法。
【請求項１０】
ＵＬ ＳＰＳに関連して複数のＵＬ ＳＰＳ設定(ｃｏｎｆｉｇｕｒａｔｉｏｎ)が前記ＵＥのために設定され、
異なったハイブリッド自動繰り返し要請(ｈｙｂｒｉｄ ａｕｔｏｍａｔｉｃ ｒｅｐｅａｔ ｒｅｑｕｅｓｔ、ＨＡＲＱ)プロセスのセットは前記複数のＵＬ  ＳＰＳ設定にそれぞれ連関する、請求項１〜９のいずれか一項に記載の方法。
【請求項１１】
少なくとも一つのプロセッサにより実行された時、少なくとも一つのプロセッサが、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)信号により受信し、
前記ＤＣＩに基づいてＳＰＳ ＰＵＳＣＨ信号を送信することを含み、
前記ＤＣＩに基づいて前記ＳＰＳ ＰＵＳＣＨ信号を送信することは、
(i)前記ＳＰＳ ＰＵＳＣＨ信号がサブスロット−ベースであり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)パターンフィールドが第１値にセットされ、(iii)ユーザ機器が同時前記ＰＵＳＣＨ及び物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)送信に設定された状態で、
ＰＵＣＣＨ信号を同時に送信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を送信することを含む動作を実行するようにする少なくとも一つのプログラムコードを格納する、コンピューターで読み取り可能な貯蔵媒体。
【請求項１２】
無線通信システムにおいて基地局(ｂａｓｅ ｓｔａｔｉｏｎ、ＢＳ)が上りリンク(ｕｐｌｉｎｋ、ＵＬ)信号を受信する方法において、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)信号により送信し、
前記ＤＣＩに基づいてＳＰＳ ＰＵＳＣＨ信号をユーザ機器（ＵＥ）から受信することを含み、
前記ＤＣＩに基づいて前記ＳＰＳ ＰＵＳＣＨ信号を受信することは、
(i)前記ＳＰＳ ＰＵＳＣＨ信号がサブスロット−ベースであり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)前記ユーザ機器が同時ＰＵＳＣＨ及び物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)に設定された状態で、
ＰＵＣＣＨ信号を同時に受信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を受信する、方法。
【請求項１３】
上りリンク(ｕｐｌｉｎｋ、ＵＬ)信号を送信するように構成されたユーザ機器（ＵＥ）において、
トランシーバと、
少なくとも１つのプロセッサと、
前記少なくとも１つのプロセッサに動作可能に連結でき、また実行されると前記少なくとも１つのプロセッサが動作を行うようにする指示を貯蔵した、少なくとも１つのコンピュータメモリを含み、前記動作は、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)信号により受信し、
前記ＤＣＩに基づいてＳＰＳ ＰＵＳＣＨ信号をトランシーバを介して送信することを含み、
前記ＤＣＩに基づいて前記ＳＰＳ ＰＵＳＣＨ信号を送信することは、
(i)前記ＳＰＳ ＰＵＳＣＨ信号がサブスロット−ベースであり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)前記ユーザ機器が同時ＰＵＳＣＨ及び物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)送信に設定された状態で、
ＰＵＣＣＨ信号を同時に受信することなく、前記ＳＰＳ ＰＵＳＣＨ信号を介して上りリンク制御情報(ｕｐｌｉｎｋ ｃｏｎｔｒｏｌ ｉｎｆｏｒｍａｔｉｏｎ、ＵＣＩ)を送信する、ＵＥ。
【請求項１４】
上りリンク(ｕｐｌｉｎｋ、ＵＬ)信号を受信するように構成された基地局(ｂａｓｅ ｓｔａｔｉｏｎ、ＢＳ)において、
トランシーバと、
少なくとも１つのプロセッサと、
前記少なくとも１つのプロセッサに動作可能に連結でき、また実行されると前記少なくとも１つのプロセッサが動作を行うようにする指示を貯蔵した、少なくとも１つのコンピュータメモリを含み、前記動作は、
準−持続的スケジューリング(ｓｅｍｉ−ｐｅｒｓｉｓｔｅｎｔ ｓｃｈｅｄｕｌｉｎｇ、ＳＰＳ)の物理上りリンク共有チャネル(ｐｈｙｓｉｃａｌ ｕｐｌｉｎｋ ｓｈａｒｅｄ ｃｈａｎｎｅｌ、ＰＵＳＣＨ)に関する下りリンク制御情報(ｄｏｗｎｌｉｎｋ ｃｏｎｔｒｏｌ ｉｎｆｏｒｍａｔｉｏｎ、ＤＣＩ)を物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)信号により送信し、
前記ＤＣＩに基づいてＳＰＳ ＰＵＳＣＨ信号をユーザ機器から受信することを含み、
前記ＤＣＩに基づいて前記ＳＰＳ ＰＵＳＣＨ信号を受信することは、
(i)前記ＳＰＳ ＰＵＳＣＨ信号がサブスロット−ベースであり、(ii)前記ＤＣＩに含まれた復調参照信号(ｄｅｍｏｄｕｌａｔｉｏｎ ｒｅｆｅｒｅｎｃｅ ｓｉｇｎａｌ、ＤＭＲＳ)のパターンフィールドが第１値にセットされ、(iii)前記ユーザ機器が同時ＰＵＳＣＨ及び物理上りリンク制御チャネル(ｐｈｙｓｉｃａｌ ｕｐｌｉｎｋ ｃｏｎｔｒｏｌ ｃｈａｎｎｅｌ、ＰＵＣＣＨ)送信に設定された状態で、
ＰＵＣＣＨ信号を同時に受信することなく、前記ＳＰＳ ＰＵＳＣＨ信号により上りリンク制御情報(ｕｐｌｉｎｋ ｃｏｎｔｒｏｌ ｉｎｆｏｒｍａｔｉｏｎ、ＵＣＩ)を受信する、ＢＳ。
【国際調査報告】
2021500822.tif 000042
2021500822.tif 000043